(57)【要約】  プロセッサ(150)をもつスマートホン(106)は、他のスマートホンに関連したアカウントへの通貨送金取引を実行させ、そしてアプリケーションサーバー(102)又は商人ターミナル(108)と相互作用するためのプログラムインストラクションを実行する。スマートホンは、クイック応答（ＱＲ）コードをスキャンし、そしてそのＱＲコードをデコードして、エンコードされたデータを回復させる。スマートホンは、エンコードされたデータを、単独で、又はユーザプロフィールからのデータのような他のデータと共に、使用して、商人サーバーからプロモーション商品券を得る。スマートホンは、プロモーション商品券の引き換えを開始することができる。スマートホンは、支払手段及びアカウントを確認するためにアプリケーションサーバーが使用できる項目の画像捕獲を促す確認フォームを表示する。確認フォームは、ユーザが運転免許証、支払手段、請求書、又はパスポートの画像を捕獲するよう促す。アプリケーションサーバーとスマートホンとの通信は、ＭＳＩＳＤＮ、ＩＭＥＬ又はＩＭＳＩのような装置識別子を含む。【選択図】図１
2015504197.tif 000002
【特許請求の範囲】
【請求項１】
スマートホンのコードスキャナを使用して、第１の商人識別コード及び第１のプロモーション識別子をエンコードする第１のクイック応答（ＱＲ）コードをスキャンし、
スマートホンにおいて前記第１のＱＲコードをデコードして、前記第１の商人識別コード及び第１のプロモーション識別子を回復し、
前記第１のＱＲコードから回復された前記第１の商人識別コード及び第１のプロモーション識別子をスマートホンからアプリケーションサーバーへ伝送し、
前記第１のプロモーション識別子に関連した第１のプロモーション商品券をアプリケーションサーバーからスマートホンにおいて受け取り、及び
前記第１のプロモーション商品券をスマートホンのデータ記憶装置に記憶する、
ことを含む方法。
【請求項２】
前記第１のプロモーション商品券を受け取ることは、第１の商品券画像を受け取ることを含み、及び
前記第１のプロモーション商品券を記憶することは、前記第１の商品券画像をスマートホンの前記データ記憶装置に記憶することを含む、請求項１に記載の方法。
【請求項３】
前記データ記憶装置に記憶された未引き換えのプロモーション商品券のリストをスマートホンのディスプレイ装置に表示し、前記未引き換えのプロモーション商品券のリストは、前記第１のプロモーション商品券を識別し、
スマートホンのユーザインターフェイスを使用して、前記未引き換えのプロモーション商品券のリストから前記第１のプロモーション商品券を選択し、及び
前記第１のプロモーション商品券を前記ディスプレイ装置に表示する、
ことを更に含む、請求項１に記載の方法。
【請求項４】
前記第１のプロモーション商品券の引き換えを開始するために選択可能な引き換えアイコンを前記スマートホンのディスプレイ装置に表示し、
前記スマートホンのユーザインターフェイスを使用して、前記引き換えアイコンを選択して、前記第１のプロモーション商品券の引き換えを開始する、
ことを更に含む、請求項３に記載の方法。
【請求項５】
前記第１のプロモーション商品券が引き換えられたことを指示する第１の通知を前記アプリケーションサーバーから前記スマートホンにおいて受け取り、及び
前記未引き換えの商品券のリストから前記第１のプロモーション商品券を削除する、
ことを更に含む、請求項４に記載の方法。
【請求項６】
前記第１の通知を受け取った後に、引き換えられたプロモーション商品券のリストに前記第１のプロモーション商品券を追加することを更に含む、請求項５に記載の方法。
【請求項７】
前記第１のプロモーション商品券の引き換えは、第１の商人識別コードに関連した商人に前記第１のプロモーション商品券を示すことにより、一部分、行われる、請求項５に記載の方法。
【請求項８】
前記第１のプロモーション商品券の引き換えは、オンライン商品券引き換えとして行われ、及び
前記オンライン商品券引き換えは、前記第１のプロモーション商品券に関連したコードを前記スマートホンから商人サーバーへ伝送することを含む、請求項５に記載の方法。
【請求項９】
前記第１のＱＲコードをスキャンする前記コードスキャナを開始するために選択可能なスキャンアイコンを前記ディスプレイ装置に表示し、及び
前記スマートホンのユーザインターフェイスを使用して、前記スキャンアイコンを選択して、前記第１のＱＲコードをスキャンするコードスキャナを開始する、
ことを更に含む、請求項１に記載の方法。
【請求項１０】
前記第１のＱＲコード内にエンコードされた第１の商人識別コード及び第１のプロモーション識別子の少なくとも一方は、暗号化され、
前記方法は、更に、
前記第１のＱＲコード内にエンコードされて、暗号化された第１の商人識別コード及び第１のプロモーション識別子の前記少なくとも一方を前記スマートホンにおいて解読することを更に含む、請求項１に記載の方法。
【請求項１１】
前記スマートホンに記憶されたユーザプロフィールから前記アプリケーションサーバーへの情報の伝送を承認するためのプロンプトを前記スマートホンのディスプレイ装置に表示し、及び
前記スマートホンのユーザインターフェイスを使用して、前記ユーザプロフィールから前記アプリケーションサーバーへの前記情報の伝送の承認を入力する、
ことを更に含む、請求項１に記載の方法。
【請求項１２】
前記プロンプトを表示しそして承認を入力することは、前記第１のＱＲコードをデコードした後であって、且つ前記アプリケーションサーバーへ情報を伝送する前に行う、請求項１１に記載の方法。
【請求項１３】
前記スマートホンのプロセッサにより実行可能な商品券アプリケーションを前記アプリケーションサーバーから前記スマートホンで受け取り、前記商品券アプリケーションを実行することで、前記ユーザプロフィールから前記アプリケーションサーバーへ情報を伝送させ、及び
前記第１のＱＲコードをスキャンする前に前記商品券アプリケーションを前記スマートホンにインストールする、
ことを更に含み、前記プロンプトを表示しそして承認を入力することは、前記商品券アプリケーションを前記スマートホンにインストールする間に行う、請求項１１に記載の方法。
【請求項１４】
前記スマートホンのコードスキャナを使用して、第２の商人識別コード及び第２のプロモーション識別子をエンコードする第２のＱＲコードをスキャンし、
スマートホンスマートホンにおいて前記第２のＱＲコードをデコードして、前記第２の商人識別コード及び第２のプロモーション識別子を回復し、
前記第２のＱＲコードをデコードするのに応答して、前記スマートホンのディスプレイ装置に、前記スマートホンに記憶されたユーザプロフィールから前記アプリケーションサーバーへの情報の伝送を承認するためのプロンプトを表示し、及び
前記スマートホンのユーザインターフェイスを使用し、前記プロンプトに応答して、前記ユーザプロフィールから前記アプリケーションサーバーへの情報の伝送の非承認を入力する、
ことを更に含む、請求項１に記載の方法。
【請求項１５】
前記第１のＱＲコードをスキャンすることは、文書にプリントされたＱＲコードをスキャンすることを含む、請求項１に記載の方法。
【請求項１６】
前記第１のＱＲコードをスキャンすることは、スマートホンの外部の電子ディスプレイ装置に表示されたＱＲコードをスキャンすることを含む、請求項１に記載の方法。
【請求項１７】
前記第１のＱＲコードは、更に、レポジトリーアドレスをエンコードし、
前記レポジトリーアドレスは、前記アプリケーションサーバーがスマートホンに記憶されたユーザプロフィールから情報を転送できるところのアドレスを識別し、
前記第１のＱＲコードをデコードすることは、前記レポジトリーアドレスを回復することを含み、
前記方法は、更に、前記回復されたレポジトリーアドレスを前記スマートホンから前記アプリケーションサーバーへ伝送することを更に含む、請求項１に記載の方法。
【請求項１８】
前記ユーザプロフィールからの情報は、前記第１のＱＲコードをデコードする前に前記ユーザプロフィール内に記憶されたものである、請求項１１、１４及び１７のいずれかに記載の方法。
【請求項１９】
前記ユーザプロフィールからの情報は、前記第１のＱＲコードをデコードした後に且つスマートホンのユーザインターフェイスを経て情報を入力又は選択するのに応答して、前記ユーザプロフィール内に記憶される、請求項１１、１４、及び１７のいずれかに記載の方法。
【請求項２０】
前記ユーザプロフィールからの情報は、前記第１のＱＲコードをデコードする前に前記ユーザプロフィール内に記憶された情報の一部分と、前記第１のＱＲコードをデコードした後に且つ前記スマートホンのユーザインターフェイスを経て情報を入力又は選択するのに応答して、前記ユーザプロフィール内に記憶された情報の一部分とを含む、請求項１１、１４、及び１７のいずれかに記載の方法。
【請求項２１】
前記第１のプロモーション商品券は、商人から品目を購入するときに割引を受けるように引き換え可能である、請求項１に記載の方法。
【請求項２２】
プロセッサと、
請求項１から２１のいずれかに記載の方法を実施するために前記プロセッサにより実行可能なプログラムインストラクションを含むコンピュータ読み取り可能なデータ記憶装置と、
を備えたスマートホン。
【請求項２３】
請求項１から２１のいずれかに記載の方法を実施するためにプロセッサにより実行可能なコンピュータ読み取り可能なプログラムインストラクションを含むコンピュータ読み取り可能なデータ記憶装置。
【請求項２４】
前記コンピュータ読み取り可能なデータ記憶装置は、非一時的なコンピュータ読み取り可能なデータ記憶装置である、請求項２３に記載のコンピュータ読み取り可能なデータ記憶装置。
【請求項２５】
搬送波で実施されるコンピュータデータ信号において、請求項１から２１のいずれかに記載の方法を遂行するためのコンピュータ読み取り可能なプログラムインストラクションを含むコンピュータデータ信号。
【請求項２６】
請求項１から２１のいずれかに記載の方法を遂行するためのコンピュータ読み取り可能なプログラムインストラクションを搬送する再現可能なコンピュータ読み取り可能な信号。
【請求項２７】
通貨を送金するためのコンピュータソフトウェア製品において、データ処理システムのプロセッサにより実行されたときに、そのデータ処理システムが請求項１から２１のいずれかに記載の機能を実行するようにさせるインストラクションを含むソフトウェア製品。
【請求項２８】
第１の商人識別コード及び第１のプロモーション識別子をエンコードする第１のクイック応答（ＱＲ）をスキャンするように構成されたスキャナと、
プロセッサと、
ユーザプロフィール及びコンピュータ読み取り可能なプログラムインストラクションを含むコンピュータ読み取り可能なデータ記憶装置であって、前記プログラムインストラクションを実行して前記第１のＱＲコードをデコードし、前記第１の商人識別コード及び第１のプロモーション識別子を回復するようにされたデータ記憶装置と、
前記第１のＱＲコードから回復された第１の商人識別コード及び第１のプロモーション識別子をアプリケーションサーバーへ伝送するように構成されたネットワークインターフェイスと、
を備え、前記ネットワークインターフェイスは、前記第１のプロモーション識別子に関連した第１のプロモーション商品券を前記アプリケーションサーバーから受け取るように構成され、前記データ記憶装置は、前記ネットワークインターフェイスで受け取られた第１のプロモーション識別子を記憶する、ようにされたスマートホン。
【請求項２９】
前記第１のプロモーション商品券は、第１の商品券画像を含み、及び
前記データ記憶装置は、その第１の商品券画像を記憶する、請求項２８に記載のスマートホン。
【請求項３０】
前記データ記憶装置に記憶された未引き換えのプロモーション商品券のリストを表示するディスプレイ装置であって、その未引き換えのプロモーション商品券のリストは、第１のプロモーション商品券を識別するようなディスプレイ装置と、
前記未引き換えのプロモーション商品券のリストから前記第１のプロモーション商品券を選択するように構成されたユーザインターフェイスと、
を更に備え、前記ディスプレイ装置は、前記第１のプロモーション商品券を表示する、請求項２８に記載のスマートホン。
【請求項３１】
前記第１のプロモーション商品券の引き換えを開始するために選択可能な引き換えアイコンを表示するディスプレイ装置と、
前記引き換えアイコンを選択して、前記第１のプロモーション商品券の引き換えを開始するように構成されたユーザインターフェイスと、
を更に備えた、請求項２８に記載のスマートホン。
【請求項３２】
前記ネットワークインターフェイスは、前記第１のプロモーション商品券が引き換えられたことを指示する第１の通知を前記アプリケーションサーバーから受け取るように構成され、及び
前記プログラムインストラクションは、前記未引き換えの商品券のリストから前記第１のプロモーション商品券を削除するように前記プロセッサにより実行可能である、
請求項３１に記載のスマートホン。
【請求項３３】
前記プログラムインストラクションは、引き換えられたプロモーション商品券のリストに前記第１のプロモーション商品券を追加するために前記プロセッサにより実行可能である、請求項３２に記載のスマートホン。
【請求項３４】
前記第１のプロモーション商品券の引き換えは、第１の商人識別コードに関連した商人に前記第１のプロモーション商品券を示すことにより、一部分、行われる、請求項３２に記載のスマートホン。
【請求項３５】
前記第１のプロモーション商品券の引き換えは、オンライン商品券引き換えとして行われ、及び
前記オンライン商品券引き換えを行うために、前記ネットワークインターフェイスは、前記第１のプロモーション商品券に関連したコードを商人サーバーへ伝送する、請求項３２に記載のスマートホン。
【請求項３６】
前記第１のＱＲコードをスキャンする前記コードスキャナを開始するために選択可能なスキャンアイコンを表示するように構成されたディスプレイ装置と、
前記スキャンアイコンを選択して、前記第１のＱＲコードをスキャンするコードスキャナを開始するように構成されたユーザインターフェイスと、
を更に備えた、請求項２８に記載のスマートホン。
【請求項３７】
前記第１のＱＲコード内にエンコードされた第１の商人識別コード及び第１のプロモーション識別子の少なくとも一方は、暗号化され、
前記プログラムインストラクションは、前記第１のＱＲコード内にエンコードされて前記暗号化された第１の商人識別コード及び第１のプロモーション識別子の前記少なくとも一方を解読するために前記プロセッサによって実行可能である、請求項２８に記載のスマートホン。
【請求項３８】
前記データ記憶装置に記憶されたユーザプロフィールから前記アプリケーションサーバーへの情報の伝送を承認するためのプロンプトを表示するように構成されたディスプレイ装置と、
前記ユーザプロフィールから前記アプリケーションサーバーへの前記情報の伝送の承認を入力するように構成されたユーザインターフェイスと、
を更に備えた、請求項２８に記載のスマートホン。
【請求項３９】
前記プロンプトを表示しそして承認を入力することは、前記第１のＱＲコードをデコードした後であって且つ前記アプリケーションサーバーへ情報を伝送する前に行う、請求項３８に記載のスマートホン。
【請求項４０】
前記ネットワークインターフェイスは、前記プロセッサにより実行可能な商品券アプリケーションを前記アプリケーションサーバーから受け取り、
前記商品券アプリケーションを実行することで、前記ユーザプロフィールから前記アプリケーションサーバーへ情報を伝送させ、
前記スキャナが前記第１のＱＲコードをスキャンする前に前記商品券アプリケーションを前記スマートホンにインストールし、及び
前記ディスプレイ装置は、前記プロンプトを表示し、そして前記商品券アプリケーションを前記スマートホンにインストールする間に前記ユーザインターフェイスを経て前記承認を入力する、請求項３８に記載のスマートホン。
【請求項４１】
ディスプレイ装置と、
ユーザインターフェイスと、
を備え、前記スキャナは、第２の商人識別コード及び第２のプロモーション識別子をエンコードする第２のＱＲコードをスキャンするように構成され、
前記プロセッサは、前記プログラムインストラクションを実行し、前記第２のＱＲコードをデコードして、前記第２の商人識別コード及び第２のプロモーション識別子を回復させ、
前記第２のＱＲコードをデコードするのに応答して、前記ディスプレイ装置は、前記データ記憶装置に記憶されたユーザプロフィールから前記アプリケーションサーバーへの情報の伝送を承認するためのプロンプトを表示し、及び
前記ユーザインターフェイスは、前記プロンプトに応答して、前記ユーザプロフィールから前記アプリケーションサーバーへの情報の伝送の非承認を入力するように構成された、請求項２８に記載のスマートホン。
【請求項４２】
前記第１のＱＲコードは、文書にプリントされたＱＲコードを含む、請求項２８に記載のスマートホン。
【請求項４３】
前記第１のＱＲコードは、前記スマートホンの外部の電子ディスプレイ装置に表示されたＱＲコードを含む、請求項２８に記載のスマートホン。
【請求項４４】
前記第１のＱＲコードは、更に、レポジトリーアドレスをエンコードし、
前記レポジトリーアドレスは、前記アプリケーションサーバーがデータ記憶装置に記憶されたユーザプロフィールから情報を転送できるところのアドレスを識別し、
前記第１のＱＲコードをデコードすることは、前記レポジトリーアドレスを回復することを含み、
前記ネットワークインターフェイスは、前記回復されたレポジトリーアドレスを前記アプリケーションサーバーへ伝送する、請求項２８に記載のスマートホン。
【請求項４５】
前記ユーザプロフィールからの情報は、前記第１のＱＲコードをデコードする前に前記ユーザプロフィール内に記憶されたものである、請求項３８、４１及び４４のいずれかに記載のスマートホン。
【請求項４６】
前記ユーザプロフィールからの情報は、前記第１のＱＲコードをデコードした後に且つスマートホンのユーザインターフェイスを経て情報を入力又は選択するのに応答して、前記ユーザプロフィール内に記憶される、請求項３８、４１及び４４のいずれかに記載のスマートホン。
【請求項４７】
前記ユーザプロフィールからの情報は、前記第１のＱＲコードをデコードする前に前記ユーザプロフィール内に記憶された情報の一部分と、前記第１のＱＲコードをデコードした後に且つ前記スマートホンのユーザインターフェイスを経て情報を入力又は選択するのに応答して、前記ユーザプロフィール内に記憶された情報の一部分とを含む、請求項３８、４１及び４４のいずれかに記載のスマートホン。
【請求項４８】
前記第１のプロモーション商品券は、商人から品目を購入するときに割引を受けるように引き換え可能である、請求項２８に記載のスマートホン。
【請求項４９】
第１タイプのユーザ識別子を識別する第１アイコンを含む確認フォームをスマートホンのディスプレイ装置に表示し、
前記確認フォームから、前記第１タイプのユーザ識別子を識別する第１アイコンを選択し、
第１のユーザ検証を行うための第１の画像をスマートホンで受け取り、
前記第１のユーザ検証を行うための第１の画像をスマートホンからアプリケーションサーバーへ伝送し、及び
前記第１のユーザ検証が成功であったことを示す第１の通知をアプリケーションサーバーからスマートホンで受け取る、
ことを含む方法。
【請求項５０】
前記確認フォームが表示される間に前記第１アイコンを不作動化することを更に含み、前記第１アイコンは、第１のユーザ検証を遂行するための前記第１の画像を記録するのに応答して不作動化される、請求項４９に記載の方法。
【請求項５１】
前記確認フォームは、更に、少なくとも１つの付加的なタイプのユーザ識別子を識別する少なくとも１つの付加的なアイコンを含み、各付加的なアイコンは、各付加的なタイプのユーザ識別子を識別し、更に、
第２タイプのユーザ識別子を識別する第２アイコンを前記確認フォームから選択し、
前記第１のユーザ検証を遂行するための第２の画像をスマートホンに記録し、及び
前記第１のユーザ検証を遂行するための第２の画像をスマートホンからアプリケーションサーバーへ伝送する、
ことを更に含む、請求項４９に記載の方法。
【請求項５２】
前記確認フォームが表示される間に第２アイコンを不作動化することを更に含み、その第２アイコンは、第１のユーザ検証を遂行するための第２の画像を記録するのに応答して不作動化される、請求項５１に記載の方法。
【請求項５３】
第３タイプのユーザ識別子を識別する第３アイコンを前記確認フォームから選択し、
前記第１のユーザ検証を遂行するための第３の画像をスマートホンに記録し、及び
前記第１のユーザ検証を遂行するための第３の画像をスマートホンからアプリケーションサーバーへ伝送する、
ことを更に含む、請求項５１に記載の方法。
【請求項５４】
前記確認フォームが表示される間に第３アイコンを不作動化し、その第３アイコンは、第１のユーザ検証を遂行するための第３の画像を記録するのに応答して不作動化される、請求項５３に記載の方法。
【請求項５５】
前記第１タイプのユーザ識別子は、クレジットカードの前面、クレジットカードの裏面、デビットカードの前面、デビットカードの裏面、運転免許証の前面、運転免許証の裏面、パスポート、請求書、移動電話の請求書、公益事業の請求書、取引明細書、クレジットカードの取引明細書、及び銀行の預金残高証明書より成るグループから選択される、請求項４９に記載の方法。
【請求項５６】
スマートホンにおいてユーザプロフィールを生成することを更に含む、請求項４９に記載の方法。
【請求項５７】
前記ユーザプロフィールは、支払手段データを含み、及び
前記第１のユーザ検証は、その支払手段データを検証するために遂行される、請求項５６に記載の方法。
【請求項５８】
ユーザ検証をスタートするために選択可能なアイコンを前記ディスプレイ装置に表示し、及び
ユーザ検証に関連したその選択可能なアイコンを、スマートホンを使用して選択する、
ことを更に含み、前記ユーザ検証に関連したその選択可能なアイコンを選択することで、前記確認フォームの表示がトリガーされる、請求項４９に記載の方法。
【請求項５９】
前記ユーザ検証をスタートするために選択可能なアイコンを表示することは、検証アイコンを表示することを含む、請求項５８に記載の方法。
【請求項６０】
第１のユーザ検証のために前記アプリケーションサーバーへ伝送された画像を前記アプリケーションサーバーが首尾良くアップロードしたことを指示する第２の通知をスマートホンにおいて受け取ることを更に含む、請求項４９に記載の方法。
【請求項６１】
第１のユーザ検証のために前記アプリケーションサーバーへ伝送された画像の検証を前記アプリケーションサーバーが待機していることを指示する第３の通知をスマートホンにおいて受け取ることを更に含む、請求項６０に記載の方法。
【請求項６２】
第１のユーザ検証が首尾良く完了したことを指示する第４の通知をスマートホンにおいて受け取ることを更に含む、請求項６１に記載の方法。
【請求項６３】
前記第４の通知を前記ディスプレイ装置に表示することを更に含む、請求項６２に記載の方法。
【請求項６４】
プロセッサと、
請求項４９から６３のいずれかに記載の方法を実施するために前記プロセッサにより実行可能なプログラムインストラクションを含むコンピュータ読み取り可能なデータ記憶装置と、
を備えたスマートホン。
【請求項６５】
請求項４９から６３のいずれかに記載の方法を実施するためにプロセッサにより実行可能なコンピュータ読み取り可能なプログラムインストラクションを含むコンピュータ読み取り可能なデータ記憶装置。
【請求項６６】
前記コンピュータ読み取り可能なデータ記憶装置は、非一時的なコンピュータ読み取り可能なデータ記憶装置である、請求項６５に記載のコンピュータ読み取り可能なデータ記憶装置。
【請求項６７】
搬送波で実施されるコンピュータデータ信号において、請求項４９から６３のいずれかに記載の方法を遂行するためのコンピュータ読み取り可能なプログラムインストラクションを含むコンピュータデータ信号。
【請求項６８】
請求項４９から６３のいずれかに記載の方法を遂行するためのコンピュータ読み取り可能なプログラムインストラクションを搬送する再現可能なコンピュータ読み取り可能な信号。
【請求項６９】
ユーザ検証を遂行するためのコンピュータソフトウェア製品において、データ処理システムのプロセッサにより実行されたときに、そのデータ処理システムが請求項４９から６３のいずれかに記載の機能を実行するようにさせるインストラクションを含むソフトウェア製品。
【請求項７０】
第１タイプのユーザ識別子を識別する第１アイコンを含む有効形態を表示するように構成されたディスプレイ装置と、
前記有効形態から、前記第１タイプのユーザ識別子を識別する第１アイコンを選択するように構成されたユーザインターフェイスと、
第１のユーザ検証を行うための第１の画像を記録するように構成されたコンピュータ読み取り可能なデータ記憶装置と、
前記第１のユーザ検証を行うための第１の画像をアプリケーションサーバーへ伝送し、且つ第１のユーザ検証が成功であったことを示す第１の通知をアプリケーションサーバーから受け取るように構成されたネットワークインターフェイスと、
を備えたスマートホン。
【請求項７１】
プロセッサを更に備え、
前記コンピュータ読み取り可能なデータ記憶装置は、前記確認フォームが表示される間に前記第１アイコンを不作動化するために前記プロセッサにより実行可能なコンピュータ読み取り可能なプログラムインストラクションを記憶し、及び
前記第１アイコンは、第１のユーザ検証を遂行するための前記第１の画像を記録するのに応答して不作動化される、請求項７０に記載のスマートホン。
【請求項７２】
前記確認フォームは、更に、少なくとも１つの付加的なタイプのユーザ識別子を識別する少なくとも１つの付加的なアイコンを含み、
各付加的なアイコンは、各付加的なタイプのユーザ識別子を識別し、
前記ユーザインターフェイスは、第２タイプのユーザ識別子を識別する第２アイコンを前記確認フォームから選択するように構成され、
前記コンピュータ読み取り可能なデータ記憶装置は、第１のユーザ検証を遂行するための第２の画像を記録し、及び
前記ネットワークインターフェイスは、前記第１のユーザ検証を遂行するための第２の画像をアプリケーションサーバーへ伝送するように構成された、請求項７０に記載のスマートホン。
【請求項７３】
プロセッサを更に備え、
前記コンピュータ読み取り可能なデータ記憶装置は、前記確認フォームが表示される間に前記第２アイコンを不作動化するために前記プロセッサにより実行可能なコンピュータ読み取り可能なプログラムインストラクションを記憶し、及び
前記第２アイコンは、第１のユーザ検証を遂行するための前記第２の画像を記録するのに応答して不作動化される、請求項７２に記載のスマートホン。
【請求項７４】
前記ユーザインターフェイスは、第３タイプのユーザ識別子を識別する第３アイコンを前記確認フォームから選択するように構成され、
前記プロセッサは、前記第１のユーザ検証を遂行するための第３の画像を前記データ記憶装置に記録するプログラムインストラクションを実行し、及び
前記ネットワークインターフェイスは、前記第１のユーザ検証を遂行するための第３の画像をアプリケーションサーバーへ伝送するように構成された、請求項７２に記載のスマートホン。
【請求項７５】
前記プログラムインストラクションは、前記確認フォームが表示される間に第３アイコンを不作動化するように前記プロセッサにより実行可能であり、及び
前記第３アイコンは、前記第１のユーザ検証を遂行するための第３の画像を記録するのに応答して不作動化される、請求項７４に記載のスマートホン。
【請求項７６】
前記第１タイプのユーザ識別子は、クレジットカードの前面、クレジットカードの裏面、デビットカードの前面、デビットカードの裏面、運転免許証の前面、運転免許証の裏面、パスポート、請求書、移動電話の請求書、公益事業の請求書、取引明細書、クレジットカードの取引明細書、及び銀行の預金残高証明書より成るグループから選択される、請求項７０に記載のスマートホン。
【請求項７７】
プロセッサと、
前記データ記憶装置内にユーザプロフィールを生成するために前記プロセッサにより実行可能なコンピュータ読み取り可能なプログラムインストラクションを記憶するコンピュータ読み取り可能なデータ記憶装置と、
を備えた請求項７０に記載のスマートホン。
【請求項７８】
前記ユーザプロフィールは、支払手段データを含み、及び
前記第１のユーザ検証は、その支払手段データを検証するために遂行される、請求項７７に記載のスマートホン。
【請求項７９】
前記ディスプレイ装置は、ユーザ検証をスタートするために選択可能なアイコンを表示するように構成され、
前記ユーザインターフェイスは、ユーザ検証に関連したその選択可能なアイコンを選択するように構成され、及び
前記ユーザ検証に関連したその選択可能なアイコンを選択することで、前記確認フォームの表示がトリガーされる、請求項７０に記載のスマートホン。
【請求項８０】
前記ユーザ検証をスタートするために選択可能な表示されたアイコンは、検証アイコンを含む、請求項７９に記載のスマートホン。
【請求項８１】
前記ネットワークインターフェイスは、第１のユーザ検証のために前記アプリケーションサーバーへ伝送された画像を前記アプリケーションサーバーが首尾良くアップロードしたことを指示する第２の通知を受け取るように構成された、請求項７０に記載のスマートホン。
【請求項８２】
前記ネットワークインターフェイスは、第１のユーザ検証のために前記アプリケーションサーバーへ伝送された画像の検証を前記アプリケーションサーバーが待機していることを指示する第３の通知を受け取るように構成された、請求項８１に記載のスマートホン。
【請求項８３】
前記ネットワークインターフェイスは、第１のユーザ検証が首尾良く完了したことを指示する第４の通知を受け取るように構成された、請求項８２に記載のスマートホン。
【請求項８４】
前記ディスプレイ装置は、前記第４の通知を表示するように構成された、請求項８３に記載のスマートホン。
【請求項８５】
移動加入者サービス総合デジタル網番号（ＭＳＩＳＤＮ）を入力するための自由フォームエントリフィールドをスマートホンのディスプレイ装置に表示し、
スマートホンを使用して、前記ＭＳＩＳＤＮを前記自由フォームエントリフィールドに入力し、
前記ＭＳＩＳＤＮをスマートホンからアプリケーションサーバーへ伝送し、
前記アプリケーションサーバーにより与えられるパーソナル識別番号（ＰＩＮ）を含むショートメッセージサービス（ＳＭＳ）メッセージをスマートホンにおいて受け取り、
前記ＰＩＮをスマートホンから前記アプリケーションサーバーへ伝送し、及び
前記アプリケーションサーバーが前記ＭＳＩＳＤＮに関連したユーザアカウントを首尾良く生成したことを指示する第１の通知を前記アプリケーションサーバーからスマートホンにおいて受け取る、
ことを含む方法。
【請求項８６】
前記スマートホンにおいてユーザプロフィールを生成し、
ユーザプロフィール情報を入力するための少なくとも１つの付加的なフィールドを前記スマートホンのディスプレイ装置に表示し、
前記スマートホンを使用して、ユーザプロフィール情報を少なくとも１つの付加的なフィールドに入力し、及び
前記スマートホンを使用してユーザプロフィールに入力されたユーザプロフィール情報を記憶する、
ことを更に含む、請求項８５に記載の方法。
【請求項８７】
前記ユーザプロフィール情報は、ユーザの名、ユーザの姓、ユーザの生年月日、ｅ−メールアドレス、実在の住所、口座通貨、及び支払手段情報のうちの少なくとも１つを含む、請求項８６に記載の方法。
【請求項８８】
前記アプリケーションサーバーに記憶するために前記スマートホンを使用して入力されたユーザプロフィール情報を前記スマートホンから前記アプリケーションサーバーへ伝送することを更に含む、請求項８６に記載の方法。
【請求項８９】
前記スマートホンを前記アプリケーションサーバーに登録するプロセスを開始するために選択可能なアイコンを前記スマートホンのディスプレイ装置に表示し、
前記スマートホンを使用してそのアイコンを選択し、そして前記スマートホンを前記アプリケーションサーバーに登録する前記プロセスを開始する、
ことを更に含む、請求項８５に記載の方法。
【請求項９０】
前記アイコンを表示することは、登録アイコンを表示することを含む、請求項８９に記載の方法。
【請求項９１】
前記第１の通知を受け取った後に、前記スマートホンのディスプレイ装置に、ＭＳＩＳＤＮを入力するための自由フォームエントリフィールドの別のインスタンスを表示し、
前記スマートホンを使用して、ＭＳＩＳＤＮを前記自由フォームエントリフィールドの他のインスタンスへ入力し、
前記自由フォームエントリフィールドの他のインスタンスへ入力されたＭＳＩＳＤＮを前記スマートホンから前記アプリケーションサーバーへ伝送し、及び
ＭＳＩＳＤＮに関連したアカウントが前記アプリケーションサーバーに既に存在することを指示する第２の通知を前記アプリケーションサーバーから前記スマートホンにおいて受け取る、
ことを更に含む、請求項８５に記載の方法。
【請求項９２】
前記第２の通知を前記ディスプレイ装置に表示することを更に含む、請求項９１に記載の方法。
【請求項９３】
ＰＩＮを含むＳＭＳメッセージを受け取った後であって、ＰＩＮを前記スマートホンから前記アプリケーションサーバーへ送信する前に、誤ったＰＩＮを前記アプリケーションサーバーへ伝送し、及び
前記誤ったＰＩＮが前記アプリケーションサーバーにより有効とされなかったことを指示する第３の通知を前記アプリケーションサーバーから前記スマートホンで受け取る、
ことを更に含む請求項８５に記載の方法。
【請求項９４】
前記第３の通知を前記ディスプレイ装置に表示することを更に含む、請求項９３に記載の方法。
【請求項９５】
前記第１の通知を前記ディスプレイ装置に表示することを更に含む、請求項８５に記載の方法。
【請求項９６】
プロセッサと、
請求項８５から９５のいずれかに記載の方法を実施するためプロセッサにより実行可能なプログラムインストラクションを含むコンピュータ読み取り可能なデータ記憶装置と、
を備えたスマートホン。
【請求項９７】
請求項８５から９５のいずれかに記載の方法を実施するためにプロセッサにより実行可能なコンピュータ読み取り可能なプログラムインストラクションを含むコンピュータ読み取り可能なデータ記憶装置。
【請求項９８】
前記コンピュータ読み取り可能なデータ記憶装置は、非一時的なコンピュータ読み取り可能なデータ記憶装置である、請求項９７に記載のコンピュータ読み取り可能なデータ記憶装置。
【請求項９９】
搬送波で実施されるコンピュータデータ信号において、請求項８５から９５のいずれかに記載の方法を遂行するためのコンピュータ読み取り可能なプログラムインストラクションを含むコンピュータデータ信号。
【請求項１００】
請求項８５から９５のいずれかに記載の方法を遂行するためのコンピュータ読み取り可能なプログラムインストラクションを搬送する再現可能なコンピュータ読み取り可能な信号。
【請求項１０１】
ユーザ検証を遂行するためのコンピュータソフトウェア製品において、データ処理システムのプロセッサにより実行されたときに、そのデータ処理システムが請求項９５から１０５のいずれかに記載の機能を実行するようにさせるインストラクションを含むソフトウェア製品。
【請求項１０２】
プロセッサと、
移動加入者サービス総合デジタル網番号（ＭＳＩＳＤＮ）を入力するための自由フォームエントリフィールドを表示し、且つＭＳＩＳＤＮを自由フォームエントリフィールドに入力するように構成されたユーザインターフェイスと、
（ｉ）前記ユーザインターフェイスを使用して入力されたＭＳＩＳＤＮをアプリケーションサーバーへ送信し、（ii）前記アプリケーションサーバーにより与えられたパーソナル識別番号（ＰＩＮ）を含むショートメッセージサービス（ＳＭＳ）メッセージを受け取り、（iii）前記ＰＩＮを前記アプリケーションサーバーへ伝送し、及び（iv）前記アプリケーションサーバーが前記ＭＳＩＳＤＮに関連したユーザアカウントを首尾良く生成したことを指示する第１の通知を前記アプリケーションサーバーから受け取るように構成されたネットワークインターフェイスと、
を備えたスマートホン。
【請求項１０３】
ユーザアプリケーションを実行する前記プロセッサにより生成されたユーザプロフィールを記憶するデータ記憶装置を更に備え、
そのデータ記憶装置は、前記ユーザアプリケーションを記憶し、
前記ユーザインターフェイスは、ユーザプロフィール情報を入力するための少なくとも１つの付加的なフィールドを表示するように構成され、
前記ユーザインターフェイスは、ユーザプロフィール情報を少なくとも１つの付加的なフィールドに入力するように構成され、及び
前記データ記憶装置は、前記ユーザインターフェイスを使用してユーザプロフィールに入力されたユーザプロフィール情報を記憶する、請求項１０２に記載のスマートホン。
【請求項１０４】
前記データ記憶装置は、非一時的なコンピュータ読み取り可能なデータ記憶装置を含む、請求項１０３に記載のスマートホン。
【請求項１０５】
前記ネットワークインターフェイスは、ユーザプロフィール情報を、前記アプリケーションサーバーに記憶するために前記アプリケーションサーバーへ伝送するように構成された、請求項１０３に記載のスマートホン。
【請求項１０６】
前記ユーザプロフィール情報は、ユーザの名、ユーザの姓、ユーザの生年月日、ｅ−メールアドレス、実在の住所、口座通貨、及び支払手段情報のうちの少なくとも１つを含む、請求項１０３に記載のスマートホン。
【請求項１０７】
登録アイコン、預金アイコン、送金アイコン、バンキングアイコン、キャプチャアイコン及び検証アイコンのうちの少なくとも１つを前記ユーザインターフェイスに表示させるために前記プロセッサにより実行可能なコンピュータ読み取り可能なプログラムインストラクションを更に備えた、請求項１０２に記載のスマートホン。
【請求項１０８】
前記ユーザインターフェイスは、第１の通知を受け取った後に、ＭＳＩＳＤＮを入力するための自由フォームエントリフィールドの別のインスタンスを表示し、そして自由フォームエントリフィールドのその別のインスタンスへＭＳＩＳＤＮを入力するように構成され、
前記ネットワークインターフェイスは、前記自由フォームエントリフィールドの前記別のインスタンスへ入力されたＭＳＩＳＤＮを前記アプリケーションサーバーへ伝送するように構成され、及び
前記ＭＳＩＳＤＮに関連したアカウントが前記アプリケーションサーバーに既に存在することを指示する第２の通知を前記アプリケーションサーバーから受け取るように構成された、請求項１０２に記載のスマートホン。
【請求項１０９】
前記ユーザインターフェイスは、前記第２の通知を表示する、請求項１０８に記載のスマートホン。
【請求項１１０】
前記ＰＩＮを含むＳＭＳメッセージを受け取った後であって、前記ＰＩＮを前記アプリケーションサーバーへ送信する前に、誤ったＰＩＮを前記アプリケーションサーバーへ伝送し、及び
前記誤ったＰＩＮが前記アプリケーションサーバーにより有効とされなかったことを指示する第３の通知を前記アプリケーションサーバーから受け取るように構成された、請求項１０２に記載のスマートホン。
【請求項１１１】
前記ユーザインターフェイスは、前記第３の通知を表示する、請求項１１０に記載のスマートホン。
【請求項１１２】
前記ユーザインターフェイスは、前記第１の通知を表示する、請求項１０２に記載のスマートホン。
【請求項１１３】
第１の送金額と、第１の通貨送金に対し第１の受取人を識別する第１の受取人アイデンティティとを入力するための送金フォームを第１スマートホンのディスプレイ装置に表示し、
前記送金フォームを使用して、前記第１の送金額及び第１の受取人アイデンティティを入力し、
前記送金フォームを使用して入力された前記第１の送金額及び第１の受取人アイデンティティを第１スマートホンからアプリケーションサーバーへ伝送し、及び
前記第１の受取人への第１の通貨送金が首尾良く完了したことを指示する第１の通知を前記アプリケーションサーバーから第１スマートホンで受け取る、
ことを含む方法。
【請求項１１４】
送金フォームを使用して、第１通貨送金のための送金通貨を選択することを更に含み、その第１通貨送金は、送金通貨の送金額のためのものである、請求項１１３に記載の方法。
【請求項１１５】
前記第１スマートホンは、前記第１スマートホンを使用して開始される通貨送金のためのデフォールト通貨を識別する通貨識別子を含み、
前記方法は、更に、デフォールト通貨識別子を前記第１スマートホンから前記アプリケーションサーバーへ転送することを含み、
前記第１通貨送金は、デフォールト通貨の送金額のためのものである、請求項１１３に記載の方法。
【請求項１１６】
前記ディスプレイ装置に前記送金フォームを表示させるために選択可能なアイコンを前記第１スマートホンのディスプレイ装置に表示し、
前記選択可能なアイコンを選択し、
前記送金フォームを表示することは、前記選択可能なアイコンを選択するのに応答して行われる、請求項１１３に記載の方法。
【請求項１１７】
第２の通貨送金に対して第２送金額と、第２の受取人を識別する第２受取人アイデンティティとを入力するための送金フォームの第２インスタンスを前記第１スマートホンのディスプレイ装置に表示し、
前記送金フォームの第２インスタンスを使用して前記第２送金額及び第２受取人アイデンティティを入力し、
前記送金フォームの第２インスタンスを使用して入力された前記第２送金額及び第２受取人アイデンティティを前記第１スマートホンからアプリケーションサーバーへ伝送し、及び
前記第２受取人への第２通貨送金が首尾良く完了しなかったことを指示する第２の通知を前記アプリケーションサーバーから前記第１スマートホンで受け取る、
ことを更に含む、請求項１１３に記載の方法。
【請求項１１８】
前記第２受取人アイデンティティは、第２スマートホンを独特に識別するデータを含む、請求項１１７に記載の方法。
【請求項１１９】
前記第２スマートホンを独特に識別するデータは、移動加入者サービス総合デジタル網番号（ＭＳＩＳＤＮ）、又は国際移動装置アイデンティティ（ＩＭＥＩ）を含む、請求項１１８に記載の方法。
【請求項１２０】
前記第２受取人アイデンティティは、国際移動加入者アイデンティティ（ＩＭＳＩ）を含む、請求項１１７に記載の方法。
【請求項１２１】
第３の通貨送金に対して第３送金額と、第３の受取人を識別する第３受取人アイデンティティとを入力するための送金フォームの第３インスタンスを前記第１スマートホンのディスプレイ装置に表示し、
前記送金フォームの第３インスタンスを使用して前記第３送金額及び第３受取人アイデンティティを入力し、
前記送金フォームの第３インスタンスを使用して入力された前記第３送金額及び第３受取人アイデンティティを前記第１スマートホンからアプリケーションサーバーへ伝送し、及び
前記第３受取人が第３通貨送金を受け取るように登録されていないことを指示する第３の通知を前記アプリケーションサーバーから前記第１スマートホンで受け取る、
ことを更に含む、請求項１１３に記載の方法。
【請求項１２２】
前記第３受取人アイデンティティは、第３スマートホンを独特に識別するデータを含む、請求項１２１に記載の方法。
【請求項１２３】
前記第３スマートホンを独特に識別するデータは、移動加入者サービス総合デジタル網番号（ＭＳＩＳＤＮ）、又は国際移動装置アイデンティティ（ＩＭＥＩ）を含む、請求項１２２に記載の方法。
【請求項１２４】
前記第３受取人アイデンティティは、国際移動加入者アイデンティティ（ＩＭＳＩ）を含む、請求項１２１に記載の方法。
【請求項１２５】
前記第１受取人アイデンティティは、第２スマートホンを独特に識別するデータを含む、請求項１１３に記載の方法。
【請求項１２６】
前記第２スマートホンを独特に識別するデータは、移動加入者サービス総合デジタル網番号（ＭＳＩＳＤＮ）、又は国際移動装置アイデンティティ（ＩＭＥＩ）を含む、請求項１１９に記載の方法。
【請求項１２７】
前記第１受取人アイデンティティは、国際移動加入者アイデンティティ（ＩＭＳＩ）を含む、請求項１１３に記載の方法。
【請求項１２８】
前記第１受取人アイデンティティを入力することは、前記第１受取人アイデンティティに関連したアイデンティティショートカットを入力することを含み、
前記方法は、更に、前記アイデンティティショートカットを入力するのに応答して前記第１受取人アイデンティティをスマートホンのデータ記憶装置から検索することを含み、
前記第１受取人アイデンティティを転送することは、前記データ記憶装置から検索された前記第１受取人アイデンティティを転送することを含む、請求項１１３に記載の方法。
【請求項１２９】
プロセッサと、
請求項１１３から１２８のいずれかに記載の方法を実施するためプロセッサにより実行可能なプログラムインストラクションを含むコンピュータ読み取り可能なデータ記憶装置と、
を備えたスマートホン。
【請求項１３０】
請求項１１３から１２８のいずれかに記載の方法を実施するためにプロセッサにより実行可能なコンピュータ読み取り可能なプログラムインストラクションを含むコンピュータ読み取り可能なデータ記憶装置。
【請求項１３１】
前記コンピュータ読み取り可能なデータ記憶装置は、非一時的なコンピュータ読み取り可能なデータ記憶装置である、請求項１３０に記載のコンピュータ読み取り可能なデータ記憶装置。
【請求項１３２】
搬送波で実施されるコンピュータデータ信号において、請求項１１３から１２８のいずれかに記載の方法を遂行するためのコンピュータ読み取り可能なプログラムインストラクションを含むコンピュータデータ信号。
【請求項１３３】
請求項１１３から１２８のいずれかに記載の方法を遂行するためのコンピュータ読み取り可能なプログラムインストラクションを搬送する再現可能なコンピュータ読み取り可能な信号。
【請求項１３４】
通貨を送金するためのコンピュータソフトウェア製品において、データ処理システムのプロセッサにより実行されたときに、そのデータ処理システムが請求項１１３から１２８のいずれかに記載の機能を実行するようにさせるインストラクションを含むソフトウェア製品。
【請求項１３５】
第１の送金額と、第１の通貨送金に対して第１の受取人を識別する第１の受取人アイデンティティとを入力するための送金フォームを表示するよう構成されたディスプレイ装置と、
前記送金フォームを使用して、第１の送金額及び第１の受取人アイデンティティを入力するためのユーザインターフェイスと、
前記送金フォームを使用して入力された前記第１の送金額及び第１の受取人アイデンティティをアプリケーションサーバーへ伝送し、且つ前記第１の受取人への第１の通貨送金が首尾良く完了したことを指示する第１の通知を前記アプリケーションサーバーから受け取るためのネットワークインターフェイスと、
を備えたスマートホン。
【請求項１３６】
前記ユーザインターフェイスは、前記送金フォームを使用して、第１の通貨送金のための送金通貨を選択するように構成され、
前記第１の通貨送金は、送金通貨の送金額に対するものである、請求項１３５に記載のスマートホン。
【請求項１３７】
前記スマートホンを使用して開始される通貨送金のためのデフォールト通貨を識別する通貨識別子を記憶するデータ記憶装置を更に備え、
前記ネットワークインターフェイスは、前記デフォールト通貨識別子を前記アプリケーションサーバーへ転送するように構成され、
前記第１通貨送金は、前記デフォールト通貨の送金額に対するものである、請求項１３５に記載のスマートホン。
【請求項１３８】
前記ディスプレイ装置は、該ディスプレイ装置に前記送金フォームを表示させるために選択可能なアイコンを表示するように構成され、
前記ユーザインターフェイスは、前記選択可能なアイコンを選択するように構成され、
前記ディスプレイ装置は、前記選択可能なアイコンを選択するのに応答して前記送金フォームを表示するように構成される、請求項１３５に記載のスマートホン。
【請求項１３９】
前記ディスプレイ装置は、第２の通貨送金に対して第２送金額と、第２の受取人を識別する第２受取人アイデンティティとを入力するための送金フォームの第２インスタンスを表示するように構成され、
前記ユーザインターフェイスは、前記送金フォームの第２インスタンスを使用して前記第２送金額及び第２受取人アイデンティティを入力するように構成され、
前記ネットワークインターフェイスは、前記送金フォームの第２インスタンスを使用して入力された前記第２送金額及び第２受取人アイデンティティをアプリケーションサーバーへ伝送し、及び前記第２受取人への第２通貨送金が首尾良く完了しなかったことを指示する第２の通知を前記アプリケーションサーバーから受け取るように構成された、請求項１３５に記載のスマートホン。
【請求項１４０】
前記第２受取人アイデンティティは、第２スマートホンを独特に識別するデータを含む、請求項１３９に記載のスマートホン。
【請求項１４１】
前記第２スマートホンを独特に識別するデータは、移動加入者サービス総合デジタル網番号（ＭＳＩＳＤＮ）、又は国際移動装置アイデンティティ（ＩＭＥＩ）を含む、請求項１４０に記載のスマートホン。
【請求項１４２】
前記第２受取人アイデンティティは、国際移動加入者アイデンティティ（ＩＭＳＩ）を含む、請求項１３９に記載のスマートホン。
【請求項１４３】
前記ディスプレイ装置は、第３の通貨送金に対して第３送金額と、第３の受取人を識別する第３受取人アイデンティティとを入力するための送金フォームの第３インスタンスを表示するように構成され、
前記ユーザインターフェイスは、前記送金フォームの第３インスタンスを使用して前記第３送金額及び第３受取人アイデンティティを入力するように構成され、
前記ネットワークインターフェイスは、前記送金フォームの第３インスタンスを使用して入力された前記第３送金額及び第３受取人アイデンティティをアプリケーションサーバーへ伝送し、及び前記第３受取人が第３通貨送金を受け取るように登録されていないことを指示する第３の通知を前記アプリケーションサーバーから受け取るように構成された、請求項１３５に記載のスマートホン。
【請求項１４４】
前記第３受取人アイデンティティは、第３スマートホンを独特に識別するデータを含む、請求項１４３に記載のスマートホン。
【請求項１４５】
前記第３スマートホンを独特に識別するデータは、移動加入者サービス総合デジタル網番号（ＭＳＩＳＤＮ）、又は国際移動装置アイデンティティ（ＩＭＥＩ）を含む、請求項１４４に記載のスマートホン。
【請求項１４６】
前記第３受取人アイデンティティは、国際移動加入者アイデンティティ（ＩＭＳＩ）を含む、請求項１４３に記載のスマートホン。
【請求項１４７】
前記第１受取人アイデンティティは、第２スマートホンを独特に識別するデータを含む、請求項１３５に記載のスマートホン。
【請求項１４８】
前記第２スマートホンを独特に識別するデータは、移動加入者サービス総合デジタル網番号（ＭＳＩＳＤＮ）、又は国際移動装置アイデンティティ（ＩＭＥＩ）を含む、請求項１４７に記載のスマートホン。
【請求項１４９】
前記第１受取人アイデンティティは、国際移動加入者アイデンティティ（ＩＭＳＩ）を含む、請求項１３５に記載のスマートホン。
【請求項１５０】
プロセッサと、
前記プロセッサにより実行可能なコンピュータ読み取り可能なプログラムインストラクションを記憶するデータ記憶装置と、
を備え、前記第１受取人アイデンティティを入力することは、前記第１受取人アイデンティティに関連したアイデンティティショートカットを入力することを含み、
前記プログラムインストラクションは、前記アイデンティティショートカットを入力するのに応答して前記第１受取人アイデンティティを前記データ記憶装置から検索するために前記プロセッサにより実行可能であり、
前記第１受取人アイデンティティを転送することは、前記データ記憶装置から検索された前記第１受取人アイデンティティを転送することを含む、請求項１３５に記載のスマートホン。
【請求項１５１】
第１の送金額と、第１の通貨送金に対して第１の受取人を識別する第１の受取人アイデンティティとをアプリケーションサーバーにおいて受け取り、
アプリケーションサーバーを使用して、第１の受取人が受取人の財布で第１の通貨送金を受け取るように登録されていることを確認し、
アプリケーションサーバーを使用して、送金人の財布が第１の通貨送金を実施するに充分な資金を有することを確認し、
アプリケーションサーバーを使用して、送金人の財布から少なくとも第１の送金額を引き落とし、及び
アプリケーションサーバーを使用して、受取人の財布に第１の送金額を入金する、
ことを含む方法。
【請求項１５２】
前記第１の通貨送金を経て送金されるべき通貨を識別する通貨識別子を前記アプリケーションサーバーで受け取ることを更に含む、請求項１５１に記載の方法。
【請求項１５３】
前記送金人の財布を識別する送金人識別子を前記アプリケーションサーバーで受け取ることを更に含む、請求項１５１に記載の方法。
【請求項１５４】
前記送金人の財布を識別するために前記アプリケーションサーバーが使用できる送金人識別子データを前記アプリケーションサーバーで受け取り、及び
前記アプリケーションサーバーにおいて前記送金人識別子データを使用して前記送金人の財布を識別する、
ことを更に含む、請求項１５１に記載の方法。
【請求項１５５】
第２の通貨送金に対して第２送金額と、第２の受取人を識別する第２受取人アイデンティティとを前記アプリケーションサーバーで受け取り、
前記アプリケーションサーバーを使用して、送金人の財布が第２の通貨送金を実行するには資金が不充分であることを決定し、及び
第２の通貨送金が不成功であったことを指示するデータを含む第１の通知を前記アプリケーションサーバーから伝送する、
ことを更に含む、請求項１５１に記載の方法。
【請求項１５６】
前記第１の通知は、なぜ第２の通貨送金が不成功であったかの理由を示すデータを含む、請求項１５５に記載の方法。
【請求項１５７】
前記第１の受取人及び第２の受取人は、同じ受取人である、請求項１５５に記載の方法。
【請求項１５８】
前記アプリケーションサーバーを使用して、第２の受取人が第２の通貨送金を受取人の財布で受け取るように登録されていることを確認することを更に含む、請求項１５５に記載の方法。
【請求項１５９】
前記第２の受取人のアイデンティティは、第２のスマートホンを独特に識別するデータを含む、請求項１５５に記載の方法。
【請求項１６０】
前記第２のスマートホンを独特に識別するデータは、移動加入者サービス総合デジタル網番号（ＭＳＩＳＤＮ）、又は国際移動装置アイデンティティ（ＩＭＥＩ）を含む、請求項１５９に記載の方法。
【請求項１６１】
前記第２受取人アイデンティティは、国際移動加入者アイデンティティ（ＩＭＳＩ）を含む、請求項１５５に記載の方法。
【請求項１６２】
第３の通貨送金に対して第３送金額と、第３の受取人を識別する第３受取人アイデンティティとを前記アプリケーションサーバーで受け取り、
前記アプリケーションサーバーを使用して、第３の受取人が第３の通貨送金を受取人の財布で受け取るように登録されていないことを決定し、及び
第３の通貨送金が不成功であったことを指示するデータを含む第２の通知を前記アプリケーションサーバーから伝送する、
ことを更に含む、請求項１５５に記載の方法。
【請求項１６３】
前記第２の通知は、なぜ第３の通貨送金が不成功であったかの理由を示すデータを含む、請求項１６２に記載の方法。
【請求項１６４】
前記第２受取人アイデンティティは、第２スマートホンを独特に識別するデータを含む、請求項１６２に記載の方法。
【請求項１６５】
前記第２スマートホンを独特に識別するデータは、移動加入者サービス総合デジタル網番号（ＭＳＩＳＤＮ）、又は国際移動装置アイデンティティ（ＩＭＥＩ）を含む、請求項１６４に記載の方法。
【請求項１６６】
前記第２受取人アイデンティティは、国際移動加入者アイデンティティ（ＩＭＳＩ）を含む、請求項１６２に記載の方法。
【請求項１６７】
前記第１受取人アイデンティティは、第１スマートホンを独特に識別するデータを含む、請求項１５１に記載の方法。
【請求項１６８】
前記第１スマートホンを独特に識別するデータは、移動加入者サービス総合デジタル網番号（ＭＳＩＳＤＮ）、又は国際移動装置アイデンティティ（ＩＭＥＩ）を含む、請求項１６６に記載の方法。
【請求項１６９】
前記第１受取人アイデンティティは、国際移動加入者アイデンティティ（ＩＭＳＩ）を含む、請求項１５１に記載の方法。
【請求項１７０】
プロセッサと、
請求項１５１から１６９のいずれかに記載の方法を実施するためプロセッサにより実行可能なプログラムインストラクションを含むコンピュータ読み取り可能なデータ記憶装置と、
を備えたアプリケーションサーバー。
【請求項１７１】
請求項１５１から１６９のいずれかに記載の方法を実施するためにプロセッサにより実行可能なコンピュータ読み取り可能なプログラムインストラクションを含むコンピュータ読み取り可能なデータ記憶装置。
【請求項１７２】
前記コンピュータ読み取り可能なデータ記憶装置は、非一時的なコンピュータ読み取り可能なデータ記憶装置である、請求項１７１に記載のコンピュータ読み取り可能なデータ記憶装置。
【請求項１７３】
搬送波で実施されるコンピュータデータ信号において、請求項１５１から１６９のいずれかに記載の方法を遂行するためのコンピュータ読み取り可能なプログラムインストラクションを含むコンピュータデータ信号。
【請求項１７４】
請求項１５１から１６９のいずれかに記載の方法を遂行するためのコンピュータ読み取り可能なプログラムインストラクションを搬送する再現可能なコンピュータ読み取り可能な信号。
【請求項１７５】
通貨を送金するためのコンピュータソフトウェア製品において、データ処理システムのプロセッサにより実行されたときに、そのデータ処理システムが請求項１５１から１６９のいずれかに記載の機能を実行するようにさせるインストラクションを含むソフトウェア製品。
【請求項１７６】
プロセッサと、
プロセッサにより実行可能なコンピュータ読み取り可能なプログラムインストラクションを記憶するコンピュータ読み取り可能なデータ記憶装置と、
第１の通貨送金に対して第１送金額と、第１の受取人を識別する第１受取人アイデンティティとを受け取るように構成されたネットワークインターフェイスと、
を備え、前記プログラムインストラクションは、第１の受取人が受取人の財布で前記第１の通貨送金を受け取るように登録されていることを確認するために前記プロセッサにより実行可能であり、
前記プログラムインストラクションは、送金人の財布が前記第１の通貨送金を実施するに充分な資金を有することを確認するために前記プロセッサにより実行可能であり、
前記プログラムインストラクションは、送金者の財布から前記少なくとも第１の送金額を引き落とすために前記プロセッサにより実行可能であり、及び
前記プログラムインストラクションは、受取者の財布に前記第１の送金額を入金するために前記プロセッサにより実行可能である、
ようにされたアプリケーションサーバー。
【請求項１７７】
前記ネットワークインターフェイスは、前記第１の通貨送金を経て送金される通貨を識別する通貨識別子を受け取るように構成される、請求項１７６に記載のアプリケーションサーバー。
【請求項１７８】
前記ネットワークインターフェイスは、送金者の財布を識別する送金者識別子を受け取るように構成される、請求項１７６に記載のアプリケーションサーバー。
【請求項１７９】
前記ネットワークインターフェイスは、前記アプリケーションサーバーが送金人の財布を識別するために使用できる送金人識別子データを受け取るように構成され、及び
前記プロセッサは、その送金人識別子データを前記アプリケーションサーバーにおいて使用して送金人の財布を識別する、請求項１７６に記載のアプリケーションサーバー。
【請求項１８０】
前記ネットワークインターフェイスは、第２の通貨送金に対して第２送金額と、第２の受取人を識別する第２受取人アイデンティティとを受け取るように構成され、
前記プログラムインストラクションは、送金人の財布が第２の通貨送金を実行するには資金が不充分であることを決定するために前記プロセッサにより実行可能であり、及び
前記ネットワークインターフェイスは、第２の通貨送金が不成功であったことを指示するデータを含む第１の通知を伝送するように構成される、請求項１７６に記載のアプリケーションサーバー。
【請求項１８１】
前記第１の通知は、なぜ第２の通貨送金が不成功であったかの理由を示すデータを含む、請求項１８０に記載のアプリケーションサーバー。
【請求項１８２】
前記第１の受取人及び第２の受取人は、同じ受取人である、請求項１８０に記載のアプリケーションサーバー。
【請求項１８３】
前記プログラムインストラクションは、第２の受取人が第２の通貨送金を受取人の財布で受け取るように登録されていることを確認するために前記プロセッサにより実行可能である、請求項１８０に記載のアプリケーションサーバー。
【請求項１８４】
前記第２の受取人のアイデンティティは、第２のスマートホンを独特に識別するデータを含む、請求項１８０に記載のアプリケーションサーバー。
【請求項１８５】
前記第２のスマートホンを独特に識別するデータは、移動加入者サービス総合デジタル網番号（ＭＳＩＳＤＮ）、又は国際移動装置アイデンティティ（ＩＭＥＩ）を含む、請求項１８４に記載のアプリケーションサーバー。
【請求項１８６】
前記第２受取人アイデンティティは、国際移動加入者アイデンティティ（ＩＭＳＩ）を含む、請求項１８０に記載のアプリケーションサーバー。
【請求項１８７】
前記ネットワークインターフェイスは、第３の通貨送金に対して第３送金額と、第３の受取人を識別する第３受取人アイデンティティとを受け取るように構成され、
前記プログラムインストラクションは、第３の受取人が第３の通貨送金を受取人の財布で受け取るように登録されていないことを決定するために前記プロセッサにより実行可能であり、及び
前記ネットワークインターフェイスは、第３の通貨送金が不成功であったことを指示するデータを含む第２の通知を伝送するように構成された、請求項１８０に記載のアプリケーションサーバー。
【請求項１８８】
前記第２の通知は、なぜ第３の通貨送金が不成功であったかの理由を示すデータを含む、請求項１８７に記載のアプリケーションサーバー。
【請求項１８９】
前記第２受取人アイデンティティは、第２スマートホンを独特に識別するデータを含む、請求項１８７に記載のアプリケーションサーバー。
【請求項１９０】
前記第２スマートホンを独特に識別するデータは、移動加入者サービス総合デジタル網番号（ＭＳＩＳＤＮ）、又は国際移動装置アイデンティティ（ＩＭＥＩ）を含む、請求項１８９に記載のアプリケーションサーバー。
【請求項１９１】
前記第２受取人アイデンティティは、国際移動加入者アイデンティティ（ＩＭＳＩ）を含む、請求項１８７に記載のアプリケーションサーバー。
【請求項１９２】
前記第１受取人アイデンティティは、第１スマートホンを独特に識別するデータを含む、請求項１７６に記載のアプリケーションサーバー。
【請求項１９３】
前記第１スマートホンを独特に識別するデータは、移動加入者サービス総合デジタル網番号（ＭＳＩＳＤＮ）、又は国際移動装置アイデンティティ（ＩＭＥＩ）を含む、請求項１９２に記載のアプリケーションサーバー。
【請求項１９４】
前記第１受取人アイデンティティは、国際移動加入者アイデンティティ（ＩＭＳＩ）を含む、請求項１７６に記載のアプリケーションサーバー。
【発明の詳細な説明】
【技術分野】
【０００１】
本発明は、支払いシステム及び方法に関する。
【０００２】
優先権主張：本出願は、２０１１年１１月１０日に出願されたＧＢ特許出願第１１１９３７５．２号の利益を主張し、及び２０１２年１月１７日に出願された米国プロビジョナル特許出願第６１／５８７，４１６号の利益を主張するものである。ＧＢ特許出願第１１１９３７５．２号及び米国プロビジョナル特許出願第６１／５８７，４１６号は、全ての目的で参考としてここに援用される。
【背景技術】
【０００３】
特に指示のない限り、本章に記載する要素は、請求の範囲に対する従来技術ではなく、又、本章に含ませることで従来技術として認められるものではない。
【０００４】
２人の当事者間の金融取引の解決は、一般的に、現金又は種々の支払手段、例えば、デビットカード、クレジットカード、小切手、及び電子資金移動によって行われる。セキュリティの問題で、現金による取引解決の魅力が減じられる一方、小切手及び電子資金移動は、使用が不便であり且つ時間もかかる。
【０００５】
デビットカード及びクレジットカードでの支払いは、現金、小切手又は電子資金移動での支払いより便利で且つ安全であることは疑う余地もないが、顧客が多数の異なるクレジットカード及びデビットカードを同時に携帯することは珍しくなく、そのようなカードの枚数が増すにつれて不便になる。
【０００６】
電子財布は、金融取引を解決する手段として次第に普及してきている。そのような電子財布は、主として、低金額支払（即ち、マイクロ支払）を行うのに有用である。電子財布の欠点は、商人によって広範囲に受け容れられていないことである。
【発明の概要】
【発明が解決しようとする課題】
【０００７】
本出願人は、上述したものより簡単で且つ効率的に金融取引を解決するプロセスが要望されることが分かった。
【課題を解決するための手段】
【０００８】
規範的な実施形態についてここに述べる。１つの態様において、規範的な実施形態は、（ｉ）スマートホンのコードスキャナを使用して、第１の商人識別コード及び第１のプロモーション識別子をエンコードする第１のクイック応答（ＱＲ）コードをスキャンし；（ii）スマートホンにおいて第１のＱＲコード（登録商標）をデコードして、第１の商人識別コード及び第１のプロモーション識別子を回復し；（iii）第１のＱＲコードから回復された第１の商人識別コード及び第１のプロモーション識別子をスマートホンからアプリケーションサーバーへ伝送し；（iv）第１のプロモーション識別子に関連した第１のプロモーション商品券をアプリケーションサーバーからスマートホンにおいて受け取り；及び（ｖ）その第１のプロモーション商品券をスマートホンのデータ記憶装置に記憶する；ことを含む方法の形態を取る。
【０００９】
別の態様において、規範的な実施形態は、（ｉ）第１の商人識別コード及び第１のプロモーション識別子をエンコードする第１のクイック応答（ＱＲ）をスキャンするように構成されたスキャナと；（ii）プロセッサと；（iii）ユーザプロフィール及びコンピュータ読み取り可能なプログラムインストラクションを含むコンピュータ読み取り可能なデータ記憶装置であって、プログラムインストラクションを実行して第１のＱＲコードをデコードし、第１の商人識別コード及び第１のプロモーション識別子を回復するようにされたデータ記憶装置と；（iv）第１のＱＲコードから回復された第１の商人識別コード及び第１のプロモーション識別子をアプリケーションサーバーへ伝送するように構成されたネットワークインターフェイスと；を備えたスマートホンの形態をとる。ネットワークインターフェイスは、第１のプロモーション識別子に関連した第１のプロモーション商品券をアプリケーションサーバーから受け取るように構成される。データ記憶装置は、ネットワークインターフェイスで受け取られた第１のプロモーション識別子を記憶する。
【００１０】
更に別の態様において、規範的な実施形態は、（ｉ）第１タイプのユーザ識別子を識別する第１アイコンを含む有効フォームをスマートホンのディスプレイ装置に表示し；（ii）その有効フォームから、第１タイプのユーザ識別子を識別する第１アイコンを選択し；（iii）第１のユーザ検証を行うための第１の画像をスマートホンで受け取り；（iv）第１のユーザ検証を行うための第１の画像をスマートホンからアプリケーションサーバーへ伝送し；及び（ｖ）第１のユーザ検証が成功であったことを示す第１の通知をアプリケーションサーバーからスマートホンで受け取る；ことを含む方法の形態をとる。
【００１１】
更に別の態様において、規範的な実施形態は、（ｉ）第１タイプのユーザ識別子を識別する第１アイコンを含む有効フォームを表示するように構成されたディスプレイ装置と；（ii）その有効フォームから、第１タイプのユーザ識別子を識別する第１アイコンを選択するように構成されたユーザインターフェイスと；（iii）第１のユーザ検証を行うための第１の画像を記録するように構成されたコンピュータ読み取り可能なデータ記憶装置と；（iv）第１のユーザ検証を行うための第１の画像をアプリケーションサーバーへ伝送し、且つ第１のユーザ検証が成功であったことを示す第１の通知をアプリケーションサーバーから受け取るように構成されたネットワークインターフェイスと；を備えたスマートホンの形態をとる。
【００１２】
更に別の態様において、規範的な実施形態は、（ｉ）移動加入者サービス総合デジタル網番号（ＭＳＩＳＤＮ）を入力するための自由フォームエントリフィールドをスマートホンのディスプレイ装置に表示し；（ii）スマートホンを使用して、ＭＳＩＳＤＮを自由フォームエントリフィールドに入力し；（iii）ＭＳＩＳＤＮをスマートホンからアプリケーションサーバーへ伝送し；（iv）アプリケーションサーバーにより与えられるパーソナル識別番号（ＰＩＮ）を含むショートメッセージサービス（ＳＭＳ）メッセージをスマートホンにおいて受け取り；（ｖ）ＰＩＮをスマートホンからアプリケーションサーバーへ伝送し；及び（vi）アプリケーションサーバーがＭＳＩＳＤＮに関連したユーザアカウントを首尾良く生成したことを指示する第１の通知をアプリケーションサーバーからスマートホンにおいて受け取る；ことを含む方法の形態をとる。
【００１３】
更に別の態様において、規範的な実施形態は、（ｉ）プロセッサと；（ii）移動加入者サービス総合デジタル網番号（ＭＳＩＳＤＮ）を入力するための自由フォームエントリフィールドを表示し、且つＭＳＩＳＤＮを自由フォームエントリフィールドに入力するように構成されたユーザインターフェイスと；（iii）（ａ）ユーザインターフェイスを使用して入力されたＭＳＩＳＤＮをアプリケーションサーバーへ送信し、（ｂ）アプリケーションサーバーにより与えられたパーソナル識別番号（ＰＩＮ）を含むショートメッセージサービス（ＳＭＳ）メッセージを受け取り、（ｃ）そのＰＩＮをアプリケーションサーバーへ伝送し、及び（ｄ）アプリケーションサーバーがＭＳＩＳＤＮに関連したユーザアカウントを首尾良く生成したことを指示する第１の通知をアプリケーションサーバーから受け取るように構成されたネットワークインターフェイスと；を備えたスマートホンの形態をとる。
【００１４】
更に別の態様において、規範的な実施形態は、（ｉ）第１の送金額と、第１の通貨送金に対して第１の受取人を識別する第１の受取人アイデンティティとを入力するための送金フォームを第１スマートホンのディスプレイ装置に表示し；（ii）その送金フォームを使用して、第１の送金額及び第１の受取人アイデンティティを入力し；（iii）その送金フォームを使用して入力された第１の送金額及び第１の受取人アイデンティティを第１スマートホンからアプリケーションサーバーへ伝送し；及び（iv）第１の受取人への第１の通貨送金が首尾良く完了したことを指示する第１の通知をアプリケーションサーバーから第１スマートホンにおいて受け取る；ことを含む方法の形態をとる。
【００１５】
更に別の態様において、規範的な実施形態は、（ｉ）第１の送金額と、第１の通貨送金に対して第１の受取人を識別する第１の受取人アイデンティティとを入力するための送金フォームを表示するように構成されたディスプレイ装置と；（ii）その送金フォームを使用して、第１の送金額及び第１の受取人アイデンティティを入力するためのユーザインターフェイスと；（iii）その送金フォームを使用して入力された第１の送金額及び第１の受取人アイデンティティをアプリケーションサーバーへ伝送し、且つ第１の受取人への第１の通貨送金が首尾良く完了したことを指示する第１の通知をアプリケーションサーバーから受け取るためのネットワークインターフェイスと；を備えたスマートホンの形態をとる。
【００１６】
更に別の態様において、規範的な実施形態は、（ｉ）第１の送金額と、第１の通貨送金に対して第１の受取人を識別する第１の受取人アイデンティティとをアプリケーションサーバーにおいて受け取り；（ii）アプリケーションサーバーを使用して、第１の受取人が受取人の財布で第１の通貨送金を受け取るように登録されていることを確認し；（iii）アプリケーションサーバーを使用して、送金人の財布が第１の通貨送金を実施するに充分な資金を有することを確認し；（iv）アプリケーションサーバーを使用して、送金人の財布から少なくとも第１の送金額を引き落とし；及び（ｖ）アプリケーションサーバーを使用して、受取人の財布に第１の送金額を入金する；ことを含む方法の形態を取る。
【００１７】
更に別の態様において、規範的な実施形態は、（ｉ）プロセッサと；（ii）プロセッサにより実行可能なコンピュータ読み取り可能なプログラムインストラクションを記憶するコンピュータ読み取り可能なデータ記憶装置と；（iii）第１の送金額と、第１の通貨送金に対して第１の受取人を識別する第１の受取人アイデンティティとを受け取るように構成されたネットワークインターフェイスと；を備えたアプリケーションサーバーの形態をとる。プログラムインストラクションは、第１の受取人が受取人の財布で第１の通貨送金を受け取るように登録されていることを確認するためにプロセッサにより実行可能である。又、プログラムインストラクションは、送金人の財布が第１の通貨送金を実施するに充分な資金を有することを確認するためにプロセッサにより実行可能である。又、プログラムインストラクションは、送金者の財布から少なくとも第１の送金額を引き落とすためにプロセッサにより実行可能である。プログラムインストラクションは、受取者の財布に第１の送金額を入金するためにプロセッサにより実行可能である。
【００１８】
これら及び他の態様、並びに効果は、適宜に添付図面を参照して以下の詳細な説明を読むことにより当業者に明らかとなろう。更に、この概要及びどこかに述べる実施形態は、一例に過ぎず、必ずしも、本発明の範囲を限定するものではない。
以下、添付図面を参照して、規範的な実施形態を詳細に説明する。
【図面の簡単な説明】
【００１９】
【図１】支払システムの概略図である。
【図２】規範的な実施形態によるユーザスマートホンのブロック図である。
【図３】規範的な実施形態による商人ターミナルのブロック図である。
【図４】規範的な実施形態によるアプリケーションサーバーのブロック図である。
【図５】図１のシステムの規範的な実施形態によりユーザを登録するための機能のフローチャートである。
【図６】図１のシステムにおいてアプリケーションサーバーにホストされる商人ポータルウェブサイトのウェブページを示す。
【図７】図１のシステムの規範的実施形態によりユーザの財布の事前資金供給を実施する機能のフローチャートである。
【図８】図１のシステムの規範的実施形態によりユーザ間資金移動を遂行する機能のフローチャートである。
【図９】図１のシステムの規範的実施形態によりバーチャルクレジットカードの事前資金供給を実施する機能のフローチャートである。
【図１０】図１のシステムの規範的実施形態によりプロモーション商品券を取得して引き換える機能のフローチャートである。
【図１１】図１のシステムの実施形態によりユーザアカウントを検証する機能のフローチャートである。
【図１２】規範的実施形態によりユーザアプリケーションによって与えられる検証形態の規範的表示である。
【発明を実施するための形態】
【００２０】
Ｉ．はじめに
ここでは、とりわけ、支払システムの規範的な実施形態について述べる。この説明において、「ユーザ」及び「顧客」という語は、「商人」及び「サービス提供者」という語と同様に、文脈に基づいて交換可能に使用することができる。
【００２１】
この説明において、冠詞“ａ”又は“an”は、規範的実施形態の要素を紹介するために使用される。これらの冠詞を使用する意図は、１つ以上の要素があることである。少なくとも２つの用語のここに述べるリスト内に接続詞“or”を使用する意図は、リストされた用語又はリストされた用語の組み合わせのいずれかを指示することである。「第１」、「第２」、「第３」等の用語は、各要素を区別するために使用され、それら要素の特定の順序を示すのに使用されるものではない。
【００２２】
この説明では次のような省略形又は頭字語が使用される。
ＣＶＣ：カード検証コード
ＦＩＧ.：図
ＦＩＧｓ.：図
ｉ．ｅ．：即ち
ＩＭＥＩ：国際移動装置アイデンティティ
ＩＭＳＩ：国際移動加入者アイデンティティ
Ｉｎｃ.：インコーポレーテッド
Ｍｅｒｃｈａｎｔ  Ａｐｐ：商人アプリケーションプログラム
ＭＭＳ：マルチメディアメッセージサービス
ＭＳＩＳＤＮ：移動加入者サービス総合デジタル網番号
ＰＩＮ：パーソナル識別番号
ＳＭＳ：ショートメッセージサービス
Ｕｓｅｒ  ＡＰＰ：ユーザアプリケーションプログラム
【００２３】
II．規範的アーキテクチャー
図１は、ここに述べる規範的な実施形態による金融取引を解決する支払システム１００の概略図である。システム１００は、個別の口座残高（財布）を維持するアプリケーションサーバー１０２と、ユーザスマートホン装置１０６と、商人ターミナル１０８とを備えている。口座残高は、２つのデータベース１０４及び１１０に維持される。データベース１０４は、個々のユーザに対する口座残高を維持し、一方、データベース１１０は、商人に属する口座残高を維持する。
【００２４】
ユーザスマートホン装置１０６は、ウェブブラウザと、インターネットへのワイヤレス接続とが設けられた従来のスマートホンハンドセットの形態をとる。ユーザスマートホン１０６は、「移動ワイヤレス通信装置」、「移動スマートホンハンドセット」或いは更に簡単に「移動スマートホン」又は「スマートホン」と称される。一例として、ユーザスマートホン装置は、セルラー電話である。別の例として、ユーザスマートホン装置は、米国カリフォルニア州クパチーノのアップル社から販売されているｉＰｈｏｎｅ５のようなｉＰｈｏｎｅ又はｉＰａｄである。
【００２５】
商人ターミナル１０８は、ウェブブラウザと、インターネットへのワイヤレス接続とが設けられた従来のスマートホンハンドセットの形態をとる。商人ターミナル１０８は、「商人ワイヤレス通信装置」、「商人スマートホンハンドセット」或いは更に簡単に「商人スマートホン」と称される。一例として、商人ワイヤレス通信装置は、セルラー電話である。
【００２６】
アプリケーションサーバー１０２、ユーザスマートホン１０６及び商人ターミナル１０８は、通信ネットワーク１１６を使用して互いに通信することができる。通信ネットワーク１１６は、インターネットのようなワイドエリアネットワークを含む。通信ネットワーク１１６の部分は、エアインターフェイスプロトコルに基づき高周波（ＲＦ）信号を使用して通信を実行するワイヤレスネットワークを含む。例えば、エアインターフェイスプロトコルは、ＬＴＥ、ＣＤＭＡ、ＷｉＭＡＸ、ＩＤＥＮ、ＧＳＭ（登録商標）、ＧＰＲＳ、ＵＴＭＳ、ＥＤＧＥ、ＭＭＤＳ、ＷＩＦＩ、又はＢＬＵＥＴＯＯＨのようなエアインターフェイスプロトコルを含む。通信ネットワーク１１６の他の部分は、ワイヤード通信プロトコルに基づき通信を実施するワイヤードネットワークを含む。例えば、ワイヤード通信プロトコルは、イーサネット（登録商標）プロトコル又は他の何らかのワイヤード通信プロトコルを含む。
【００２７】
アプリケーションサーバー１０２と、ユーザスマートホン装置１０６と、商人ターミナル１０８との間の通信は、サーバーホストプログラム（図示せず）、ユーザスマートホン１０６にインストールされて実行されるユーザアプリケーションプログラム（ｕｓｅｒ  ａｐｐ）、及び商人ターミナル１０８にインストールされて実行される商人アプリケーションプログラム（ｍｅｒｃｈａｎｔ  ａｐｐ）によって促進される。別の態様において、アプリケーションサーバー１０２と、ユーザスマートホン１０６との間の通信は、ネットワークインターフェイス１８４（図４に示す）及びネットワークインターフェイス１５２（図２に示す）を使用して行うことができる。
【００２８】
次いで、図２は、ユーザスマートホン１０６の規範的実施形態を示すブロック図である。図２に示すように、ユーザスマートホン１０６は、（ｉ）プロセッサ１５０、（ii）通信ネットワーク１１６へデータを送信し及び通信ネットワーク１１６からデータを受信するためのネットワークインターフェイス１５２、（iii）ユーザインターフェイス１５４、及び（iv）データ記憶装置１５８を備え、これらは、全て、システムバス又は他の接続メカニズム１６０を経て一緒にリンクされる。データ記憶装置１５８は、コンピュータ読み取り可能なプログラムインストラクション（ＣＲＰＩ）１６２、ｕｓｅｒ  ａｐｐ１６４、及びユーザプロフィール１１２を含む。ＣＲＰＩ１６２は、ｕｓｅｒ  ａｐｐ１６４を含む。データ記憶装置１５８は、プロセッサ１５０により読み取り可能な非一時的なコンピュータ読み取り可能な記憶媒体を含む。ここに述べる各コンピュータ読み取り可能な記憶媒体は、プロセッサと完全に又は部分的に一体化される光学的、磁気的、有機、又は他のメモリ、或いはディスク記憶装置のような揮発性及び／又は不揮発性記憶コンポーネントを含む。
【００２９】
ここに述べる各プロセッサは、１つ以上の汎用プロセッサ（例えば、ＩＮＴＥＬシングルコアマイクロプロセッサ又はＩＮＴＥＬマルチコアマイクロプロセッサ）、或いは１つ以上の特殊目的プロセッサ（例えば、デジタル信号プロセッサ）を含む。プロセッサ１５０は、ＣＲＰＩ１６２を実行するように構成される。ＣＲＰＩ１６２の一部分は、スマートホン１０６のオペレーティングシステムとして構成される。一例として、オペレーティングシステムは、次のオペレーティングシステム、即ちＰａｌｍ  ＯＳ、Ｂｌａｃｋｂｅｒｒｙ、Ｗｉｎｄｏｗｓ  Ｍｏｂｉｌｅ（登録商標）、Ｓｙｍｂｉａｎ、Ａｎｄｒｏｉｄ、及びｉＰｈｏｎｅ  ＯＳの１つである。
【００３０】
ここに述べる各ネットワークインターフェイスは、１つ以上の通信プロトコルを使用して通信を実行することができる。ワイヤレスネットワークを使用して通信を実行するように構成された装置、例えば、スマートホン１０６については、ネットワークインターフェイス１５２は、上述したエアインターフェイスプロトコルの１つのような、エアインターフェイスプロトコルの使用により、ネットワーク１１６を経て通信を行うことができる。ｕｓｅｒ  ａｐｐ１６４により実行される送信は、ネットワークインターフェイス１５２及び通信ネットワーク１１６を使用して実行することができる。
【００３１】
規範的な実施形態は、スマートホン１０６を使用してデータを入力することを参照している。特に、データは、スマートホン１０６に表示されたフォームに入力される。１つの態様において、データは、ユーザインターフェイス１５４を経てフォームに入力することができる。別の態様において、データは、プロセッサ１５０がＣＲＰＩ１６２を実行してデータをフォームへプリポピュレートすることにより、フォームに入力することができる。それに関して、ＣＲＰＩ１６２は、データをサーチして、ＭＳＩＳＤＮ、ＩＭＥＩ又はＩＭＳＩのようなフォームフィールドに入れるように構成される。このサーチは、データ記憶装置１５８のサーチである。
【００３２】
本書の第ＸＩ章は、規範的な実施形態を更に説明するために規範的な節を含む。スマートホン１０６は、スマートホンを参照する規範的な節に述べたスマートホンとして構成される。更に、スマートホン１０６は、スマートホン又はスマートホンのコンポーネントにより遂行されるものとして規範的な節に述べた機能を遂行するように構成される。スマートホン１０６により送信され又は受信されるデータは、データ記憶装置１５８内に記憶される。
【００３３】
図３は、商人ターミナル１０８の規範的な実施形態を示すブロック図である。図３に示すように、商人ターミナル１０８は、（ｉ）プロセッサ１６６、（ii）通信ネットワーク１１６へデータを送信し及び通信ネットワーク１１６からデータを受信するためのネットワークインターフェイス１６８、（iii）ユーザインターフェイス１７０、及び（iv）データ記憶装置１７２を備え、これらは、全て、システムバス又は他の接続メカニズム１７４を経て一緒にリンクされる。データ記憶装置１７２は、コンピュータ読み取り可能なプログラムインストラクション（ＣＲＰＩ）１７６、及びｍａｒｃｈａｎｔ  ａｐｐ１７８を含む。ＣＲＰＩ１７６は、ｍｅｒｃｈａｎｔ  ａｐｐ１７８を含む。データ記憶装置１７２は、プロセッサ１６６により読み取り可能な非一時的コンピュータ読み取り可能な記憶媒体を含む。プロセッサ１６６は、ＣＲＰＩ１７６を実行するように構成される。
【００３４】
ユーザは、ダウンロードレポジトリー（例えば、アプリケーションサーバー１０２）からｕｓｅｒ  ａｐｐのコピーをダウンロードし、そしてｕｓｅｒ  ａｐｐをユーザスマートホン１０６にインストールする。商人は、ダウンロードレポジトリー（例えば、アプリケーションサーバー１０２）からｍｅｒｃｈａｎｔ  ａｐｐのコピーをダウンロードし、そしてｍｅｒｃｈａｎｔ  ａｐｐを商人ターミナル１０８にインストールする。ｍｅｒｃｈａｎｔ  ａｐｐ１７８により実行される送信は、ネットワークインターフェイス１６８及び通信ネットワーク１１６を使用して実行することができる。
【００３５】
本書の第ＸＩ章は、規範的な実施形態を更に説明するために規範的な節を含む。商人ターミナル１０８は、商人ターミナルを参照する規範的な節に述べた商人ターミナルとして構成される。更に、商人ターミナル１０８は、商人ターミナル又は商人ターミナルのコンポーネントにより遂行されるものとして規範的な節に述べた機能を遂行するように構成される。商人ターミナル１０８により送信され又は受信されるデータは、データ記憶装置１５８内に記憶される。
【００３６】
図４は、アプリケーションサーバー１０２の規範的実施形態を示すブロック図である。図４に示したように、アプリケーションサーバー１０２は、（ｉ）プロセッサ１８２、（ii）通信ネットワーク１１６へデータを送信し及び通信ネットワーク１１６からデータを受信するためのネットワークインターフェイス１８４、（iii）ユーザインターフェイス１８６、及び（iv）データ記憶装置１８８を備え、これらは、全て、システムバス又は他の接続メカニズム１９０を経て一緒にリンクされる。データ記憶装置１８８は、（ｉ）ＣＲＰＩ１９２、（ii）ユーザスマートホンへダウンロードするためのｕｓｅｒ  ａｐｐ１９４、（iii）商人ターミナルへダウンロードするためのｍｅｒｃｈａｎｔ  ａｐｐ１９６、（iv）ユーザデータベース１０４、（ｖ）商人のビジネスのための商人識別コード１４０、及び（vi）商人プロフィール１４２を含む商人データベース１１０を備えている。ＣＲＰＩ１９２は、ｕｓｅｒ  ａｐｐ１９４及びｍｅｒｃｈａｎｔ  ａｐｐ１９６を含む。データ記憶装置１８８は、プロセッサ１８２により読み取り可能な非一時的なコンピュータ読み取り可能な記憶媒体を含む。プロセッサ１８２は、ＣＲＰＩ１９２を実行するように構成される。
【００３７】
本書の第ＸＩ章は、規範的な実施形態を更に説明するために規範的な節を含む。アプリケーションサーバー１０２は、アプリケーションサーバーを参照する規範的な節に述べたアプリケーションサーバーとして構成される。更に、アプリケーションサーバー１０２は、アプリケーションサーバー又はアプリケーションサーバーのコンポーネントにより遂行されるものとして規範的な節に述べた機能を遂行するように構成される。アプリケーションサーバー１０２により送信され又は受信されるデータは、データ記憶装置１８８内に記憶される。
【００３８】
III．ユーザ登録
ユーザスマートホン１０６にｕｓｅｒ  ａｐｐ１０６をインストールすると、ユーザは、登録プロセスを開始して、アプリケーションサーバー１０２にユーザアカウントを生成することができる。ユーザアカウントは、財布を含み、そこから又はそこへ通貨送金を行うことができる。図５は、規範的な実施形態によって実行できる１組の機能５５０を示すフローチャートである。１組の機能５５０は、アプリケーションサーバー１０２にユーザアカウントを登録するために遂行される。１組の機能５５０は、ブロック５００から５２４内に示されている。これらのブロックの説明は、次の通りである。
【００３９】
ブロック５００において、ｕｓｅｒ  ａｐｐは、登録プロセスを開始するためにユーザが操作できる登録アイコン（図示せず）をユーザスマートホン１０６に表示する。登録アイコンは、テキスト“ＲＥＧＩＳＴＥＲ(登録)”或いは他の何らかのテキスト又は記号を含む。ブロック５０２において、ｕｓｅｒ  ａｐｐは、ユーザがユーザの移動加入者サービス総合デジタル網番号（‘ＭＳＩＳＤＮ’、ユーザの移動電話番号）、或いはユーザスマートホン１０６の他の何らかの独特の識別子、例えば、国際移動装置アイデンティティ（ＩＭＥＩ）、又は独特の識別子、例えば、国際移動加入者アイデンティティ（ＩＭＳＩ）を入力するよう促されるところの自由フォームエントリフィールドをユーザスマートホン１０６に表示する。ｕｓｅｒ  ａｐｐは、ユーザのＭＳＩＳＤＮ（又は他の独特の識別子）をアプリケーションサーバー１０２へ送信し（ブロック５０４）、アプリケーションサーバーは、ブロック５０６において、ルックアップを行って、ユーザの移動電話番号（又は他の独特の識別子）に関連したユーザアカウントがユーザデータベース１０４に既に存在するかどうかチェックする。そのようなユーザアカウントが存在しない場合には、アプリケーションサーバー１０２は、ユーザスマートホン１０６に対して一回限りのＰＩＮコードを含むＳＭＳで応答する（ブロック５０８）。ブロック５１０において、ユーザは、ＰＩＮコードを、ｕｓｅｒ  ａｐｐにより表示された対応フィールドに入力する。ブロック５１２において、ユーザスマートホン１０６は、ユーザが入力したＰＩＮコードをアプリケーションサーバー１０２へ返送し、アプリケーションサーバーは、その返送されたＰＩＮを確認する（ブロック５１４）。ＰＩＮが首尾良く確認された場合には、アプリケーションサーバーは、ブロック５１６において、ユーザデータベース１０４にユーザアカウントを生成し、そしてユーザスマートホン１０６のｕｓｅｒ  ａｐｐに、登録が首尾よく行われたことを通知する（ブロック５１８）。説明上、ＰＩＮコードは、完全に数字である必要はないが、完全に数字であってもよい。完全に数字でないＰＩＮコードは、アルファニューメリックＰＩＮコードでもよい。
【００４０】
ブロック５２０において、ｕｓｅｒ  ａｐｐ１６４は、ユーザスマートホン１０６にユーザプロフィール１１２を生成し、そしてユーザが、ユーザの名、ユーザの姓、生年月日、ｅ−メールアドレス、実在の住所、口座通貨、及び１つ以上の支払手段の詳細、例えば、クレジットカード又はデビットカードのようなユーザ属性を入力するよう促す（ブロック５２２）。少なくとも幾つかの規範的な実施形態により、ユーザのスマートホンは、ユーザプロフィール１１２のデータをアプリケーションサーバー１０２へ通し（ブロック５２４）、アプリケーションサーバーは、それらの細目を、ユーザデータベース１０４に新たに生成されたユーザアカウントに記憶する。少なくとも幾つかの規範的な実施形態によれば、ｕｓｅｒ  ａｐｐ１６４は、ユーザがユーザ属性を入力するよう促す前に少なくとも１つのユーザ属性を検索し又は受け取るように構成される。
【００４１】
アプリケーションサーバー１０２は、アプリケーションサーバー１０２によって商人データベース１１０に維持される個々の商人アカウントを商人が登録し且つ生成できるようにする商人ポータルウェブサイト１２０をホストする。商人ポータルウェブサイト１２０は、「ポータルウェブサイト」と称される。商人が商人データベース１１０に商人アカウントを登録し生成することは、商人ポータルウェブサイト１２０によりオンラインで遂行される。商人は、商人ポータルウェブサイトを表示するためのウェブサイト表示ディスプレイと、データを選択して商人ポータルウェブサイトに入力するための入力装置とを備えた商人コンピューティング装置１３０を使用することができる。
【００４２】
IV．商人登録
図６は、商人ポータルウェブサイト１２０の規範的なウェブページ２００を示す。ウェブページ２００は、商人ポータルウェブサイト１２０に登録するために商人が完成できる登録フォーム２０１を表示する。ウェブページ２００は、商人ポータルウェブサイト１２０のホームページである。一例として、登録フォーム２０１は、次のフィールド、即ち商人の企業名２０２、商人の企業住所２０４、及び商人の企業記述２０６を含む。一例として、企業記述は、オンラインストア、公益事業者、インターネットサービスプロバイダー、歯科医、又は他の企業記述である。登録フォーム２０１のフィールドの他の例も考えられる。登録フォーム２０１へのデータの入力は、例えば、データをタイプするか、又は所定データのリストからデータを選択することにより行われる。
【００４３】
登録フォームが完了すると、アプリケーションサーバー１０２は、商人データベース１１０に商人アカウントを生成する。アプリケーションサーバー１０２は、このように確立された各商人アカウントに独特の商人識別コードを指定し、そして商人識別コードは、商人登録フォームのデータと一緒に、商人データベース１１０に新たに生成された商人アカウントに記憶される。簡単化のために、商人識別コードは、「識別コード」と称される。
【００４４】
Ｖ．ユーザ財布の事前資金供給
図７は、規範的な実施形態により実行できる１組の機能７５０を示すフローチャートである。１組の機能７５０は、アプリケーションサーバー１０２のユーザデータベース１０４においてユーザ財布に事前に資金供給するように遂行される。１組の機能７５０は、ブロック７００から７２２内に示されている。これらブロックの説明を以下に行う。
【００４５】
ブロック７００において、ｕｓｅｒ  ａｐｐ１６４は、ユーザの財布に資金供給するためにユーザが操作できる預金アイコン（図示せず）をユーザのスマートホン１０６に表示する。預金アイコンは、テキスト“ＤＥＰＯＳＩＴ(預金)”或いは他の何らかのテキスト又は記号を含む。ｓｃａｎｎｅｒ  ａｐｐは、ブロック７０２において、ユーザデータベース１０４のユーザプロフィールに収容された承認された支払手段のリストをアプリケーションサーバー１０２から要求する。承認された支払手段のリストが空である場合には、ｕｓｅｒ  ａｐｐは、ユーザが、ブロック７０４において、例えば、ユーザの財布に事前に資金供給するためのクレジットカード又はデビットカードのような少なくとも１つの支払手段を準備して登録するよう促す。
【００４６】
他方、承認された支払手段のリストが空でない場合には、ｕｓｅｒ  ａｐｐは、ユーザのスマートホン１０６に支払フォームを表示する（ブロック７０６）。支払フォームは、ユーザの財布に入金すべき金額（通貨）をユーザが入力できる（ブロック７０８）フィールドと、アプリケーションサーバー１０２により返送された承認された支払手段のドロップダウンリストから事前に資金供給すべき支払手段を選択できる（ブロック７１０）フィールドとを含む。
【００４７】
ブロック７１２において、ユーザが支払フォームを完成させると、ユーザのスマートホン１０６は、支払フォームデータを更なる処理のためにアプリケーションサーバー１０２へ送信する。支払フォームデータが不完全であるか又は有効でない場合には、アプリケーションサーバー１０２は、ユーザのスマートホン１０６へエラーメッセージを送信して、ｕｓｅｒ  ａｐｐが、支払フォームの１つ以上のエントリが無効であるとの通知をユーザに表示するようにさせる（ブロック７１４）。支払フォームデータが首尾良く有効とされた場合には、アプリケーションサーバー１０２は、事前資金供給取引を処理し（ブロック７１６）、そして事前資金供給取引が首尾良く完了すると、ユーザにより支払フォームに明記された金額をユーザの財布に入金し（ブロック７１８）、次いで、事前資金供給取引が首尾良く完了したことをユーザのスマートホン１０６に通知する（ブロック７２０）。事前資金供給取引が首尾良く完了しなかった場合には、アプリケーションサーバーは、ユーザのスマートホンに欠陥を通知し、ｕｓｅｒ  ａｐｐが、事前資金供給取引が失敗であったことをユーザに通知するようにさせる（ブロック７２２）。
【００４８】
VI．資金移動
図８は、規範的な実施形態により実行できる１組の機能８５０を示すフローチャートである。１組の機能８５０は、システム１００を使用してあるユーザから別のユーザへ資金を移動するために遂行される。１組の機能８５０は、ブロック８００から８２６内に示されている。この実施形態では、送金側ユーザは、便宜上、送金人と称され、そして受け取り側ユーザは、受取人と称される。送金人は、送金人スマートホンを使用する。受取人は、受取人スマートホンを使用する。
【００４９】
ブロック８００において、送金人スマートホン１０６のｕｓｅｒ  ａｐｐは、送金人が資金移動を開始するために操作できる送金アイコン（図示せず）を表示する。預金アイコンは、テキスト“ＳＥＮＤ  ＭＯＮＥＹ(送金)”或いは他の何らかのテキスト又は記号を含む。ｕｓｅｒ  ａｐｐは、送金人スマートホン１０６に送金フォームを表示する（ブロック８０２）。送金フォームは、送金者が送金通貨を入力し（ブロック８０４）（例えば、英国ポンド、日本円、又は米ドル）、送金額を入力し（ブロック８０６）、及び受取人のアイデンティティを入力する（ブロック８０８）フィールドを含む。送金人は、送金人のＭＳＩＳＤＮにより、又は送金人スマートホン１０６の送金人連絡先リストから受取人を選択することにより、受取人を識別することができ、この場合、ｕｓｅｒ  ａｐｐは、送金フォームの受取人アイデンティティフィールドに連絡先リストからの受取人移動電話番号を自動的にポピュレートする。
【００５０】
ブロック８１０において、ユーザが送金フォームを完成すると、送金人スマートホン１０６は、送金フォームデータを、更なる処理のためにアプリケーションサーバー１０２へ送信する。アプリケーションサーバーは、先ず、ユーザデータベース１０４のルックアップを遂行して（受取人の移動電話番号をインデックスとして使用して）、受取人がアプリケーションサーバー１０２に登録されていて且つユーザ財布を有しているかどうか決定する（ブロック８１２）。受取人が登録されたユーザ財布を有していない場合には、送金人スマートホン１０６に、ブロック８１４において、送金を処理できないことを通知する。
【００５１】
受取人が登録されたユーザ財布を有する場合には、アプリケーションサーバー１０２は、送金人のユーザ財布に送金のための充分な資金があるかどうか検証する（ブロック８１６）。送金人のユーザ財布に充分な資金がない場合には、アプリケーションサーバー１０２は、ブロック８１８において、送金を完了できないことを送金人スマートホンに通知する。送金人の財布に充分な資金がある場合には、アプリケーションサーバー１０２は、送金人の財布から送金額を引き落とし（ブロック８２０）、そして受取人の財布に同じ金額を入金する（ブロック８２２）。次いで、アプリケーションサーバー１０２は、資金移動取引が首尾良く完了したことを送金人スマートホン１０６に通知する（ブロック８２４）。又、アプリケーションサーバーは、資金が受取人のユーザ財布に受け取られたとのメッセージ、例えば、ＳＭＳ又はｅ−メールを受取人スマートホン１０６にプッシュする（ブロック８２６）。
【００５２】
VII．バーチャルクレジットカード
アプリケーションサーバー１０２がユーザデータベース１０４に新規のユーザアカウントを生成する首尾良い登録プロセスの一部分として、アプリケーションサーバーは、新規ユーザに、オンライン商人から購入を行うのに使用するためのバーチャルクレジットカードを発行することもできる。バーチャルクレジットカードは、自動的に発行することもできるし又はユーザによる要求の結果として発行することもできるが、オンライン商人から購入を行うのに必要な全ての要素、例えば、クレジットカード番号、カード所有者名、カード満了日、ＣＶＣ又はＰＩＮを有する。バーチャルクレジットカードは、例えば、１ヶ月又は３ヶ月の短い有効期間を有するか、或いは又一回限りの使用のクレジットカードである。バーチャルクレジットカードは、ユーザ財布にリンクされて、使用の前に事前資金供給しなければならない。
【００５３】
図９は、規範的な実施形態により実行できる１組の機能９５０を示すフローチャートである。１組の機能９５０は、アプリケーションサーバー１０２におけるユーザデータベース１０４のユーザ財布に関連してバーチャルクレジットカードに事前に資金供給するために遂行される。１組の機能は、ブロック９００から９２２内に示されている。
【００５４】
ブロック９００において、ｕｓｅｒ  ａｐｐは、ユーザのバーチャルクレジットカードに事前資金供給するためにユーザが操作できるバンキングアイコン（図示せず）をユーザスマートホン１０６に表示する。預金アイコンは、テキスト“ＢＡＮＫＩＮＧ(バンキング)”或いは他の何らかのテキスト又は記号を含む。ｕｓｅｒ  ａｐｐは、事前資金供給フォームをユーザスマートホン１０６に表示する（ブロック９０２）。事前資金供給フォームは、ユーザがバーチャルクレジットカードに事前資金供給するための資金源を明記し（ブロック９０４）そして事前資金供給額を明記できる（ブロック９０６）フィールドを含む。例えば、ユーザは、ユーザの財布を事前資金源として選択することができる。事前資金供給フォームは、通貨のタイプを選択することもできる。ブロック９０８において、ユーザが事前資金供給フォームを完成すると、ユーザスマートホン１０６は、事前資金供給データ（事前資金供給フォームを経て入力された）を、更なる処理のためにアプリケーションサーバー１０２へ送信する。
【００５５】
アプリケーションサーバー１０２は、ユーザの財布に事前資金供給取引に充分な資金があるかどうか決定することにより事前資金供給データを検証する（ブロック９１０）。ユーザの財布に充分な資金がない場合には、アプリケーションサーバー１０２は、ブロック９１２において、事前資金供給取引を完了できないことをユーザスマートホン１０６に通知する。バーチャルクレジットカードは、所定の事前資金供給制限を受ける。この場合には、ブロック９１４において、アプリケーションサーバー１０２は、事前資金供給取引でバーチャルクレジットカードの事前資金供給限界を越えたかどうか決定し、その場合には、アプリケーションサーバーは、事前資金供給取引を実行できないことをユーザスマートホン１０６に通知する（ブロック９１６）。
【００５６】
ユーザの財布に充分な資金があり且つ事前資金供給限界を越えない場合には、アプリケーションサーバー１０２は、ユーザの財布から事前資金供給額を引き落とし（ブロック９１８）、そしてバーチャルクレジットカードに同じ金額を入金する（ブロック９２０）。次いで、アプリケーションサーバー１０２は、事前資金供給取引が首尾良く完了したことをユーザスマートホン１０６に通知する（ブロック９２２）。
【００５７】
VIII．プロモーション商品券
商人は、異なる理由で、例えば、顧客関係の管理の目的で顧客データベースを生成する手段として、或いは質問事項を完了させ又は調査に参加させるために、プロモーション商品券を提供する。プロモーション商品券とは、例えば、割引或いは無料品目又はサービスのために交換できるものであるか、或いはある品目又はサービスを商人から購入し且つ更にもう１つを無料で受け取る権利である。商人プロモーションは、オンラインプロモーションであっても、オフラインプロモーションであってもよい。オンラインプロモーションは、例えば、商人ウェブサイトにおいてオンライン商品券又はオンラインカタログで公表される。オフラインプロモーションは、例えば、新聞、雑誌、広告、チラシ、情報表示板、等で公表されるか、又は店内において販売時点で行われる。
【００５８】
商人は、プロモーション特有のクイック応答（ＱＲ）コードを生成する。ＱＲコードは、良く知られたもので、広く使用されている。プロモーション特有のＱＲコードは、商人識別コード１４０のような特定のプロモーションに関する情報、プロモーション識別子、及びユーザがパーソナル情報を提出するレポジトリー（図示せず）のアドレス、例えば、ｅ−メールアドレスをエンコードする。又、商人は、商人ポータルウェブサイト１２０を使用することにより、アプリケーションサーバー１０２に限定数のプロモーション商品券を発生し、これは、ＱＲコードでエンコードされたプロモーション識別子にリンクされる。各商品券は、例えば、ＪＰＥＧ又はＰＮＧフォーマットの画像ファイルで、商品券識別コードにより独特に識別される。商品券は、発行後の限定された期間中有効であるか、又は固定の満了日を有する。更に、商品券は、面と向かっての引き換えのみ、オンライン引き換えのみ、又はその両方の引き換えに対してコード化される。又、商品券は、地理的な制約も含み、例えば、商品券は、特定の町又は都市或いは特定の国における商人の小売店でしか引き換えできない。
【００５９】
図１０は、規範的な実施形態により実行できる１組の機能１０５０を示すフローチャートである。１組の機能１０５０は、ユーザが商人からプロモーション商品券を取得してそのような商品券を引き換えできるようにするために遂行される。１組の機能１０５０は、ブロック１０００から１０２８内に示されている。
【００６０】
ブロック１０００において、ｕｓｅｒ  ａｐｐは、プロモーション商品券を捕獲するためにユーザが操作できる捕獲アイコン（図示せず）をユーザスマートホン１０６に表示する。預金アイコンは、テキスト“ＣＡＰＴＵＲＥ(捕獲)”或いは他の何らかのテキスト又は記号を含む。ユーザは、ブロック１００２において、ユーザスマートホン１０６でＱＲコードをスキャンし、次いで、そのスキャンしたＱＲコードをデコードし（ブロック１００４）、それに含まれた情報、即ち商人識別コード１４０、プロモーション識別子、及びレポジトリーアドレスを回復させる。ｕｓｅｒ  ａｐｐは、ブロック１００６において、ユーザプロフィール１１２における選択されたユーザパーソナル情報、例えば、ユーザの名前、ｅ−メールアドレス、ＭＳＩＳＤＮ、及び住んでいる国を商人のレポジトリーへ送信するのをユーザが許可するよう促す。ユーザがその送信を許可すると、ユーザスマートホン１０６は、ブロック１００８において、選択されたパーソナル情報を、商人識別コード１４０、プロモーション識別子、及びレポジトリーアドレスと一緒に、アプリケーションサーバー１０２へ送信する。ブロック１０１０において、アプリケーションサーバー１０２は、選択されたパーソナル情報をレポジトリー（図示せず）へ送信する。次いで、アプリケーションサーバーは、プロモーション識別子にリンクされた発生された商品券の１つをユーザスマートホン１０６へ送信する（ブロック１０１２）。ユーザスマートホンは、受け取った商品券画像をユーザプロフィール１１２（ブロック１０１４）に記憶する。
【００６１】
ユーザスマートホン１０６のｕｓｅｒ  ａｐｐは、ユーザプロフィール１１２に記憶された全ての未引き換えプロモーション商品券のリストを表示し、そしてユーザは、日付、商人及び満了日で商品券のリストをサーチすることができる。特定の商品券の引き換えを行うために、ユーザは、当該商品券を選択してオープンし（ブロック１０１６）、そして商品券画像に表れる引き換えアイコン（図示せず）を作動する（ブロック１０１８）。引き換えアイコンは、テキスト“ＲＥＤＥＥＭ(引き換え)”或いは他の何らかのテキスト又は記号を含む。オンライン引き換えに対して商品券がコード化されている場合には、ユーザは、ユーザの購入のための支払うべき金額に対して適用かのうな割引を適用する独特の商品券識別コードを商人ウェブサイトのチェックアウトページに入力する（ブロック１０２０）。支払うべき金額は、ユーザの購入がプロモーションに関して無料である場合には、もちろん、ゼロである。商人サーバー（図示せず）は、特定の商品券が引き換えられたことをアプリケーションサーバー１０２に通知する（ブロック１０２２）。アプリケーションサーバー１０２は、特定の商品券の状態を「引き換え済」に切り換え、ブロック１０２４において、通知をユーザスマートホン１０６へ中継し、ｕｓｅｒ  ａｐｐは、その引き換え済の商品券をユーザプロフィール１１２から削除する（ブロック１０２６）。
【００６２】
商品券が面と向かった引き換えに対してコード化されている場合には、ユーザは、引き換えるべき商品券を商人に表示する（ブロック１０２８）。商人は、商人ターミナル１０８のｍｅｒｃｈａｎｔ  ａｐｐへ独特の商品券識別コードを入力する。商人ターミナル１０８は、特定の商品券が引き換えられたことをアプリケーションサーバー１０２に通知し、アプリケーションサーバー１０２は、上述したように、特定の商品券の状態を「引き換え済」に切り換え、次いで、その引き換え済の商品券がユーザスマートホン１０６のユーザプロフィール１１２から削除される。
【００６３】
IX．ユーザの検証
ユーザスマートホン１０６にユーザプロフィール１１２を生成した後に、ユーザは、条例又は応諾の理由でアイデンティティの証拠及び居住の証拠を与えることによってユーザアカウントを検証することが必要である。更に、セキュリティ手段として、ユーザは、ユーザがユーザプロフィール１１２に追加した１つ以上の支払手段を確認することも要求される。
【００６４】
図１１は、規範的な実施形態により実行できる１組の機能１１５０を示すフローチャートである。１組の機能１１５０は、アプリケーションサーバー１０２におけるユーザアカウントをユーザが検証できるようにするために遂行される。検証は、検証エージェント装置によって実行されるが、検証の成功をアプリケーションサーバー１０２へ報告することを含む。１組の機能は、ブロック１１００から１１１４内に示されている。
【００６５】
ブロック１１００において、ｕｓｅｒ  ａｐｐは、ユーザプロフィール１１２におけるユーザのパーソナル詳細を検証するためにユーザが操作できる検証アイコン（図示せず）をユーザスマートホン１０６に表示する。検証アイコンは、テキスト“ＶＥＲＩＦＹ(検証)”或いは他の何らかのテキスト又は記号を含む。ｕｓｅｒ  ａｐｐは、ユーザスマートホン１０６に検証フォームを表示する（ブロック１１０２）。検証フォームは、ユーザスマートホン１０６のカメラを使用して所要文書の画像を撮影するためにユーザが操作できるアイコンを含む。所要文書は、例えば、ユーザプロフィール１１２におけるユーザの運転免許証、アイデンティティドキュメント又はパスポート、公益事業の請求書、移動電話の請求書、又は銀行預金残高証明書、或いはクレジットカードのような支払手段の前面及び裏面、の１つ以上で構成される。各アイコンは、それに対してどの文書が関連しているか指示するように表示される。
【００６６】
ブロック１１０４において、ユーザは、アイコンを操作し、ユーザスマートホンのカメラを使用して、文書の画像を撮影する。文書の画像が記録されると、それに対応するアイコンがインアクティブ（例えば、グレーアウト）となる。ユーザは、要求された全ての画像が撮影されるまでプロセスを繰り返す。ユーザスマートホン１０６は、ブロック１１０６において、画像を最大解像度でアプリケーションサーバー１０２へアップロードする。或いは又、画像は、最大解像度より低い解像度でアップロードされてもよい。ブロック１１０８において、ｕｓｅｒ  ａｐｐは、アップロードされた画像の受信を確認する通知を表示し、そして文書が検証を待機していることを忠告する（ブロック１１１０）。文書が検証されると、アプリケーションサーバー１０２は、ユーザスマートホン１０６に通知し（ブロック１１１２）、そしてｕｓｅｒ  ａｐｐは、ブロック１１１４において、ユーザアカウントの検証が成功であったとの通知を表示する。
【００６７】
Ｘ．変形例
明らかなように、本開示の範囲から逸脱せずに実施形態に対して多数の変形及び順列が考えられる。これら変形及び順列の幾つかを以下に述べる。
【００６８】
１．ユーザスマートホン１０６のｕｓｅｒ  ａｐｐは、ユーザプロフィール１１２に記憶されたプロモーション商品券の満了日を監視し、そして商品券が満了日に近づいているときに、例えば、ｅ−メールメッセージによりユーザに通知する。満了日が近づいていることをユーザに通知するために他のメッセージ又は警告を与えてもよい。
【００６９】
２．ユーザプロフィール１１２に記憶されたプロモーション商品券は、商品券の引き換えを行う商人の店舗のＧＰＳ座標も含む。ユーザスマートホン１０６がＧＰＳ受信器を有する場合には、ユーザスマートホン１０６のｕｓｅｒ  ａｐｐは、ユーザが商人の店舗から所定の距離内にいる場合に商品券の引き換えを行うべくユーザに警告するように構成される。
【００７０】
３．商人は、ユーザがシステム１００の他のユーザと商品券を一回だけ又は所定の回数までシェアできるように、商人ポータルウェブサイト１２０に発生されるプロモーション商品券を構成することができる。
【００７１】
特定の商品券をシェアするために、ユーザは、当該商品券を選択してオープンし、そして商品券画像に表れるＳＨＡＲＥアイコン（図示せず）を操作する。次いで、ｕｓｅｒ  ａｐｐは、ユーザスマートホン１０６に送金フォームを表示し、ユーザは、意図された受取人のアイデンティティを明示することができる。受取人は、受取人のＭＳＩＳＤＮにより識別されるか、又はユーザスマートホン１０６におけるユーザの連絡先リストから受取人を選択することにより識別され、この場合、ｕｓｅｒ  ａｐｐは、送金フォームの受取人アイデンティティフィールドに、連絡先リストから受取人の移動電話番号を自動的にポピュレートすることができる。
【００７２】
ユーザが送金フォームを完成させると、ユーザスマートホン１０６は、送金フォームを更なる処理のためにアプリケーションサーバー１０２へ送信する。アプリケーションサーバーは、ユーザデータベース１０４のルックアップを行うことにより送金フォームデータを検証し、受取人がアプリケーションサーバー１０２に登録されたかどうか決定する。受取人が登録されていない場合には、アプリケーションサーバーは、商品券のシェアを完了できないことをユーザスマートホン１０６に通知する。受取人が登録されている場合には、アプリケーションサーバー１０２は、同じプロモーション商品券にリンクされた更に別の発生された商品券を受取人のスマートホンへ送信し、これは、未引き換えの商品券としてそこに記憶される。ユーザスマートホンの元の商品券は、不変である。
【００７３】
別の実施形態では、ユーザスマートホン１０６は、プロモーション商品券をＭＭＳメッセージに添付し、そしてネットワークインターフェイス１５２は、そのＭＭＳメッセージを、通信ネットワーク１１６を経て送信し、プロモーション商品券をシェアできるようにする。
【００７４】
ＸＩ．付加的な規範的実施形態
以下の節は、ここに開示する発明の更なる説明として与えられたものである。
【００７５】
節１−スマートホンのコードスキャナを使用して、第１の商人識別コード及び第１のプロモーション識別子をエンコードする第１のクイック応答（ＱＲ）コードをスキャンし；
スマートホンにおいて第１のＱＲコードをデコードして、第１の商人識別コード及び第１のプロモーション識別子を回復し；
第１のＱＲコードから回復された第１の商人識別コード及び第１のプロモーション識別子をスマートホンからアプリケーションサーバーへ伝送し；
第１のプロモーション識別子に関連した第１のプロモーション商品券をアプリケーションサーバーからスマートホンにおいて受け取り；及び
その第１のプロモーション商品券をスマートホンのデータ記憶装置に記憶する；
ことを含む方法。
【００７６】
節２−第１のプロモーション商品券を受け取ることは、第１の商品券画像を受け取ることを含み、及び
第１のプロモーション商品券を記憶することは、第１の商品券画像をスマートホンのデータ記憶装置に記憶することを含む、節１に記載の方法。
【００７７】
節３−データ記憶装置に記憶された未引き換えのプロモーション商品券のリストをスマートホンのディスプレイ装置に表示し、未引き換えのプロモーション商品券のリストは、第１のプロモーション商品券を識別し、
スマートホンのユーザインターフェイスを使用して、未引き換えのプロモーション商品券のリストから第１のプロモーション商品券を選択し、及び
第１のプロモーション商品券をディスプレイ装置に表示する、
ことを更に含む、節１又は２のいずれかに記載の方法。
【００７８】
節４−第１のプロモーション商品券の引き換えを開始するために選択可能な引き換えアイコンをスマートホンのディスプレイ装置に表示し、
スマートホンのユーザインターフェイスを使用して、引き換えアイコンを選択して、第１のプロモーション商品券の引き換えを開始する、
ことを更に含む、節１から３のいずれかに記載の方法。
【００７９】
節５−第１のプロモーション商品券が引き換えられたことを指示する第１の通知をアプリケーションサーバーからスマートホンにおいて受け取り、及び
未引き換えの商品券のリストから第１のプロモーション商品券を削除する、
ことを更に含む、節１から４のいずれかに記載の方法。
【００８０】
節６−第１の通知を受け取った後に、引き換えられたプロモーション商品券のリストに第１のプロモーション商品券を追加することを更に含む、節１から５のいずれかに記載の方法。
【００８１】
節７−第１のプロモーション商品券の引き換えは、第１の商人識別コードに関連した商人に第１のプロモーション商品券を示すことにより、一部分、行われる、節５に記載の方法。
【００８２】
節８−第１のプロモーション商品券の引き換えは、オンライン商品券引き換えとして行われ、及び
オンライン商品券引き換えは、第１のプロモーション商品券に関連したコードをスマートホンから商人サーバーへ伝送することを含む、節５に記載の方法。
【００８３】
節９−第１のＱＲコードをスキャンするコードスキャナを開始するために選択可能なスキャンアイコンをディスプレイ装置に表示し、及び
スマートホンのユーザインターフェイスを使用して、スキャンアイコンを選択して、第１のＱＲコードをスキャンするコードスキャナを開始する、節１から８のいずれかに記載の方法。
【００８４】
節１０−第１のＱＲコード内にエンコードされた第１の商人識別コード及び第１のプロモーション識別子の少なくとも一方は、暗号化され、
前記方法は、更に、
第１のＱＲコード内にエンコードされて、暗号化された第１の商人識別コード及び第１のプロモーション識別子の少なくとも一方をスマートホンにおいて解読することを更に含む、節１から９のいずれかに記載の方法。
【００８５】
節１１−スマートホンに記憶されたユーザプロフィールからアプリケーションサーバーへの情報の伝送を承認するためのプロンプトをスマートホンのディスプレイ装置に表示し、及び
スマートホンのユーザインターフェイスを使用して、ユーザプロフィールからアプリケーションサーバーへの情報の伝送の承認を入力する、
ことを更に含む、節１から１０のいずれかに記載の方法。
【００８６】
節１２−プロンプトを表示しそして承認を入力することは、第１のＱＲコードをデコードした後であって、且つアプリケーションサーバーへ情報を伝送する前に行う、節１１に記載の方法。
【００８７】
節１３−スマートホンのプロセッサにより実行可能な商品券アプリケーションをアプリケーションサーバーからスマートホンで受け取り、商品券アプリケーションを実行することで、ユーザプロフィールからアプリケーションサーバーへ情報を伝送させ、及び
第１のＱＲコードをスキャンする前に商品券アプリケーションをスマートホンにインストールする、
ことを更に含み、プロンプトを表示しそして承認を入力することは、商品券アプリケーションをスマートホンにインストールする間に行う、節１１に記載の方法。
【００８８】
節１４−スマートホンのコードスキャナを使用して、第２の商人識別コード及び第２のプロモーション識別子をエンコードする第２のＱＲコードをスキャンし；
スマートホンにおいて第２のＱＲコードをデコードして、第２の商人識別コード及び第２のプロモーション識別子を回復し；
第２のＱＲコードをデコードするのに応答して、スマートホンのディスプレイ装置に、スマートホンに記憶されたユーザプロフィールからアプリケーションサーバーへの情報の伝送を承認するためのプロンプトを表示し、及び
スマートホンのユーザインターフェイスを使用し、プロンプトに応答して、ユーザプロフィールからアプリケーションサーバーへの情報の伝送の非承認を入力する、
ことを更に含む、節１から１３のいずれかに記載の方法。
【００８９】
節１５−第１のＱＲコードをスキャンすることは、文書にプリントされたＱＲコードをスキャンすることを含む、節１から１４のいずれかに記載の方法。
【００９０】
節１６−第１のＱＲコードをスキャンすることは、スマートホンの外部の電子ディスプレイ装置に表示されたＱＲコードをスキャンすることを含む、節１から１５のいずれかに記載の方法。
【００９１】
節１７−第１のＱＲコードは、更に、レポジトリーアドレスをエンコードし、
レポジトリーアドレスは、アプリケーションサーバーがスマートホンに記憶されたユーザプロフィールから情報を転送できるところのアドレスを識別し、
前記第１のＱＲコードをデコードすることは、レポジトリーアドレスを回復することを含み、
前記方法は、更に、その回復されたレポジトリーアドレスをスマートホンからアプリケーションサーバーへ伝送することを更に含む、節１から１６のいずれかに記載の方法。
【００９２】
節１８−ユーザプロフィールからの情報は、第１のＱＲコードをデコードする前にユーザプロフィール内に記憶されたものである、節１１、１４、及び１７のいずれかに記載の方法。
【００９３】
節１９−ユーザプロフィールからの情報は、第１のＱＲコードをデコードした後に且つスマートホンのユーザインターフェイスを経て情報を入力又は選択するのに応答して、ユーザプロフィール内に記憶される、節１１、１４、及び１７のいずれかに記載の方法。
【００９４】
節２０−ユーザプロフィールからの情報は、第１のＱＲコードをデコードする前にユーザプロフィール内に記憶された情報の一部分と、第１のＱＲコードをデコードした後に且つスマートホンのユーザインターフェイスを経て情報を入力又は選択するのに応答して、ユーザプロフィール内に記憶された情報の一部分とを含む、節１１、１４、及び１７のいずれかに記載の方法。
【００９５】
節２１−第１のプロモーション商品券は、商人から品目を購入するときに割引を受けるように引き換え可能である、節１から２０のいずれかに記載の方法。
【００９６】
節２２−プロセッサと、
節１から２１のいずれかに記載の方法を実施するためにプロセッサにより実行可能なプログラムインストラクションを含むコンピュータ読み取り可能なデータ記憶装置と、
を備えたスマートホン。
【００９７】
節２３−節１から２１のいずれかに記載の方法を実施するためにプロセッサにより実行可能なコンピュータ読み取り可能なプログラムインストラクションを含むコンピュータ読み取り可能なデータ記憶装置。
【００９８】
節２４−コンピュータ読み取り可能なデータ記憶装置は、非一時的なコンピュータ読み取り可能なデータ記憶装置である、節２３に記載のコンピュータ読み取り可能なデータ記憶装置。
【００９９】
節２５−搬送波で実施されるコンピュータデータ信号において、節１から２１のいずれかに記載の方法を遂行するためのコンピュータ読み取り可能なプログラムインストラクションを含むコンピュータデータ信号。
【０１００】
節２６−節１から２１のいずれかに記載の方法を遂行するためのコンピュータ読み取り可能なプログラムインストラクションを搬送する再現可能なコンピュータ読み取り可能な信号。
【０１０１】
節２７−通貨を送金するためのコンピュータソフトウェア製品において、データ処理システムのプロセッサにより実行されたときに、データ処理システムが節１から２１のいずれかに記載の機能を実行するようにさせるインストラクションを含むソフトウェア製品。
【０１０２】
節２８−第１の商人識別コード及び第１のプロモーション識別子をエンコードする第１のクイック応答（ＱＲ）をスキャンするように構成されたスキャナと；
プロセッサと；
ユーザプロフィール及びコンピュータ読み取り可能なプログラムインストラクションを含むコンピュータ読み取り可能なデータ記憶装置であって、そのプログラムインストラクションを実行して第１のＱＲコードをデコードし、第１の商人識別コード及び第１のプロモーション識別子を回復するようにされたデータ記憶装置と；
第１のＱＲコードから回復された第１の商人識別コード及び第１のプロモーション識別子をアプリケーションサーバーへ伝送するように構成されたネットワークインターフェイスと；
を備え、ネットワークインターフェイスは、第１のプロモーション識別子に関連した第１のプロモーション商品券をアプリケーションサーバーから受け取るように構成され、
データ記憶装置は、ネットワークインターフェイスで受け取られた第１のプロモーション識別子を記憶する、ようにされたスマートホン。
【０１０３】
節２９−第１のプロモーション商品券は、第１の商品券画像を含み、及び
データ記憶装置は、その第１の商品券画像を記憶する、節２８に記載のスマートホン。
【０１０４】
節３０−データ記憶装置に記憶された未引き換えのプロモーション商品券のリストを表示するディスプレイ装置であって、その未引き換えのプロモーション商品券のリストは、第１のプロモーション商品券を識別するようなディスプレイ装置と、
未引き換えのプロモーション商品券のリストから第１のプロモーション商品券を選択するように構成されたユーザインターフェイスと、
を更に備え、ディスプレイ装置は、第１のプロモーション商品券を表示する、節２８又は２９に記載のスマートホン。
【０１０５】
節３１−第１のプロモーション商品券の引き換えを開始するために選択可能な引き換えアイコンを表示するディスプレイ装置と、
その引き換えアイコンを選択して、第１のプロモーション商品券の引き換えを開始するように構成されたユーザインターフェイスと、
を更に備えた節２８−３０のいずれかに記載のスマートホン。
【０１０６】
節３２−ネットワークインターフェイスは、第１のプロモーション商品券が引き換えられたことを指示する第１の通知をアプリケーションサーバーから受け取るように構成され、及び
プログラムインストラクションは、未引き換えの商品券のリストから第１のプロモーション商品券を削除するようにプロセッサにより実行可能である、節３１に記載のスマートホン。
【０１０７】
節３３−プログラムインストラクションは、引き換えられたプロモーション商品券のリストに第１のプロモーション商品券を追加するためにプロセッサにより実行可能である、節３２に記載のスマートホン。
【０１０８】
節３４−第１のプロモーション商品券の引き換えは、第１の商人識別コードに関連した商人に第１のプロモーション商品券を示すことにより、一部分、行われる、節３２に記載のスマートホン。
【０１０９】
節３５−第１のプロモーション商品券の引き換えは、オンライン商品券引き換えとして行われ、及び
そのオンライン商品券引き換えを行うために、ネットワークインターフェイスは、第１のプロモーション商品券に関連したコードを商人サーバーへ伝送する、節３２に記載のスマートホン。
【０１１０】
節３６−第１のＱＲコードをスキャンするコードスキャナを開始するために選択可能なスキャンアイコンを表示するように構成されたディスプレイ装置と、
そのスキャンアイコンを選択して、第１のＱＲコードをスキャンするコードスキャナを開始するように構成されたユーザインターフェイスと、
を更に備えた、節２８から３５のいずれかに記載のスマートホン。
【０１１１】
節３７−第１のＱＲコード内にエンコードされた第１の商人識別コード及び第１のプロモーション識別子の少なくとも一方は、暗号化され、
プログラムインストラクションは、第１のＱＲコード内にエンコードされて暗号化された第１の商人識別コード及び第１のプロモーション識別子の前記少なくとも一方を解読するために前記プロセッサによって実行可能である、節２８から３６のいずれかに記載のスマートホン。
【０１１２】
節３８−データ記憶装置に記憶されたユーザプロフィールからアプリケーションサーバーへの情報の伝送を承認するためのプロンプトを表示するように構成されたディスプレイ装置と、
ユーザプロフィールからアプリケーションサーバーへの前記情報の伝送の承認を入力するように構成されたユーザインターフェイスと、
を更に備えた、節２８から３７のいずれかに記載のスマートホン。
【０１１３】
節３９−前記プロンプトを表示しそして承認を入力することは、第１のＱＲコードをデコードした後であって且つアプリケーションサーバーへ情報を伝送する前に行う、節３８に記載のスマートホン。
【０１１４】
節４０−ネットワークインターフェイスは、プロセッサにより実行可能な商品券アプリケーションをアプリケーションサーバーから受け取り、
その商品券アプリケーションを実行することで、ユーザプロフィールからアプリケーションサーバーへ情報を伝送させ、
スキャナが第１のＱＲコードをスキャンする前に商品券アプリケーションをスマートホンにインストールし、及び
ディスプレイ装置は、プロンプトを表示し、そして商品券アプリケーションをスマートホンにインストールする間にユーザインターフェイスを経て承認が入力される、節３８に記載のスマートホン。
【０１１５】
節４１−ディスプレイ装置と、
ユーザインターフェイスと、
を備え、スキャナは、第２の商人識別コード及び第２のプロモーション識別子をエンコードする第２のＱＲコードをスキャンするように構成され、
プロセッサは、プログラムインストラクションを実行し、第２のＱＲコードをデコードして、第２の商人識別コード及び第２のプロモーション識別子を回復させ、
第２のＱＲコードをデコードするのに応答して、ディスプレイ装置は、データ記憶装置に記憶されたユーザプロフィールからアプリケーションサーバーへの情報の伝送を承認するためのプロンプトを表示し、及び
ユーザインターフェイスは、プロンプトに応答して、ユーザプロフィールからアプリケーションサーバーへの情報の伝送の非承認を入力するように構成された、節２８から４０のいずれかに記載のスマートホン。
【０１１６】
節４２−第１のＱＲコードは、文書にプリントされたＱＲコードを含む、節２８から４１のいずれかに記載のスマートホン。
【０１１７】
節４３−第１のＱＲコードは、スマートホンの外部の電子ディスプレイ装置に表示されたＱＲコードを含む、節２８から４２のいずれかに記載のスマートホン。
【０１１８】
節４４−第１のＱＲコードは、更に、レポジトリーアドレスをエンコードし、
そのレポジトリーアドレスは、アプリケーションサーバーがデータ記憶装置に記憶されたユーザプロフィールから情報を転送できるところのアドレスを識別し、
第１のＱＲコードをデコードすることは、そのレポジトリーアドレスを回復することを含み、
ネットワークインターフェイスは、その回復されたレポジトリーアドレスをアプリケーションサーバーへ伝送する、節２８から４３のいずれかに記載のスマートホン。
【０１１９】
節４５−ユーザプロフィールからの情報は、第１のＱＲコードをデコードする前にユーザプロフィール内に記憶されたものである、節３８、４１及び４４のいずれかに記載のスマートホン。
【０１２０】
節４６−ユーザプロフィールからの情報は、第１のＱＲコードをデコードした後に且つスマートホンのユーザインターフェイスを経て情報を入力又は選択するのに応答して、前記ユーザプロフィール内に記憶される、節３８、４１及び４４のいずれかに記載のスマートホン。
【０１２１】
節４７−ユーザプロフィールからの情報は、第１のＱＲコードをデコードする前にユーザプロフィール内に記憶された情報の一部分と、第１のＱＲコードをデコードした後に且つスマートホンのユーザインターフェイスを経て情報を入力又は選択するのに応答して、ユーザプロフィール内に記憶された情報の一部分とを含む、節３８、４１及び４４のいずれかに記載のスマートホン。
【０１２２】
節４８−第１のプロモーション商品券は、商人から品目を購入するときに割引を受けるように引き換え可能である、節２８から４７のいずれかに記載のスマートホン。
【０１２３】
節４９−第１タイプのユーザ識別子を識別する第１アイコンを含む確認フォームをスマートホンのディスプレイ装置に表示し；
その確認フォームから、第１タイプのユーザ識別子を識別する第１アイコンを選択し；
第１のユーザ検証を行うための第１の画像をスマートホンで受け取り；
第１のユーザ検証を行うための第１の画像をスマートホンからアプリケーションサーバーへ伝送し；及び
第１のユーザ検証が成功であったことを示す第１の通知をアプリケーションサーバーからスマートホンで受け取る；
ことを含む方法。
【０１２４】
節５０−確認フォームが表示される間に第１アイコンを不作動化することを更に含み、その第１アイコンは、第１のユーザ検証を遂行するために第１の画像を記録するのに応答して不作動化される、節４９に記載の方法。
【０１２５】
節５１−確認フォームは、更に、少なくとも１つの付加的なタイプのユーザ識別子を識別する少なくとも１つの付加的なアイコンを含み、各付加的なアイコンは、各付加的なタイプのユーザ識別子を識別し、更に、
第２タイプのユーザ識別子を識別する第２アイコンを確認フォームから選択し、
第１のユーザ確認を遂行するための第２の画像をスマートホンに記録し、及び
第１のユーザ確認を遂行するための第２の画像をスマートホンからアプリケーションサーバーへ伝送する、
ことを更に含む、節４９又は５０に記載の方法。
【０１２６】
節５２−確認フォームが表示される間に第２アイコンを不作動化することを更に含み、その第２アイコンは、第１のユーザ検証を遂行するために第２の画像を記録するのに応答して不作動化される、節５１に記載の方法。
【０１２７】
節５３−第３タイプのユーザ識別子を識別する第３アイコンを確認フォームから選択し、
第１のユーザ確認を遂行するための第３の画像をスマートホンに記録し、及び
第１のユーザ確認を遂行するための第３の画像をスマートホンからアプリケーションサーバーへ伝送する、
ことを更に含む、節５１に記載の方法。
【０１２８】
節５４−確認フォームが表示される間に第３アイコンを不作動化し、その第３アイコンは、第１のユーザ検証を遂行するために第３の画像を記録するのに応答して不作動化される、節５３に記載の方法。
【０１２９】
節５５−第１タイプのユーザ識別子は、クレジットカードの前面、クレジットカードの裏面、デビットカードの前面、デビットカードの裏面、運転免許証の前面、運転免許証の裏面、パスポート、請求書、移動電話の請求書、公益事業の請求書、取引明細書、クレジットカードの取引明細書、及び銀行の預金残高証明書より成るグループから選択される、節４９から５４のいずれかに記載の方法。
【０１３０】
節５６−スマートホンにおいてユーザプロフィールを生成することを更に含む、節４９から５５のいずれかに記載の方法。
【０１３１】
節５７−ユーザプロフィールは、支払手段データを含み、及び
第１のユーザ確認は、その支払手段データを検証するために遂行される、節５６に記載の方法。
【０１３２】
節５８−ユーザ検証をスタートするために選択可能なアイコンをディスプレイ装置に表示し、及び
ユーザ検証に関連したその選択可能なアイコンを、スマートホンを使用して選択する、
ことを更に含み、ユーザ検証に関連したその選択可能なアイコンを選択することで、確認フォームの表示がトリガーされる、節４９から５７のいずれかに記載の方法。
【０１３３】
節５９−ユーザ検証をスタートするために選択可能なアイコンを表示することは、検証アイコンを表示することを含む、節５８に記載の方法。
【０１３４】
節６０−第１のユーザ検証のためにアプリケーションサーバーへ伝送された画像をアプリケーションサーバーが首尾良くアップロードしたことを指示する第２の通知をスマートホンにおいて受け取ることを更に含む、節４９から５９のいずれかに記載の方法。
【０１３５】
節６１−第１のユーザ検証のためにアプリケーションサーバーへ伝送された画像の検証をアプリケーションサーバーが待機していることを指示する第３の通知をスマートホンにおいて受け取ることを更に含む、節６０に記載の方法。
【０１３６】
節６２−第１のユーザ検証が首尾良く完了したことを指示する第４の通知をスマートホンにおいて受け取ることを更に含む、節６１に記載の方法。
【０１３７】
節６３−第４の通知をディスプレイ装置に表示することを更に含む、節６２に記載の方法。
【０１３８】
節６４−プロセッサと、
節４９から６３のいずれかに記載の方法を実施するためにプロセッサにより実行可能なプログラムインストラクションを含むコンピュータ読み取り可能なデータ記憶装置と、
を備えたスマートホン。
【０１３９】
節６５−節４９から６３のいずれかに記載の方法を実施するためにプロセッサにより実行可能なコンピュータ読み取り可能なプログラムインストラクションを含むコンピュータ読み取り可能なデータ記憶装置。
【０１４０】
節６６−コンピュータ読み取り可能なデータ記憶装置は、非一時的なコンピュータ読み取り可能なデータ記憶装置である、節６５に記載のコンピュータ読み取り可能なデータ記憶装置。
【０１４１】
節６７−搬送波で実施されるコンピュータデータ信号において、節４９から６３のいずれかに記載の方法を遂行するためのコンピュータ読み取り可能なプログラムインストラクションを含むコンピュータデータ信号。
【０１４２】
節６８−節４９から６３のいずれかに記載の方法を遂行するためのコンピュータ読み取り可能なプログラムインストラクションを搬送する再現可能なコンピュータ読み取り可能な信号。
【０１４３】
節６９−ユーザ検証を遂行するためのコンピュータソフトウェア製品において、データ処理システムのプロセッサにより実行されたときに、そのデータ処理システムが節４９から６３のいずれかに記載の機能を実行するようにさせるインストラクションを含むソフトウェア製品。
【０１４４】
節７０−第１タイプのユーザ識別子を識別する第１アイコンを含む確認フォームを表示するように構成されたディスプレイ装置と；
その確認フォームから、第１タイプのユーザ識別子を識別する第１アイコンを選択するように構成されたユーザインターフェイスと；
第１のユーザ検証を行うための第１の画像を記録するように構成されたコンピュータ読み取り可能なデータ記憶装置と；
第１のユーザ検証を行うための第１の画像をアプリケーションサーバーへ伝送し、且つ第１のユーザ検証が成功であったことを示す第１の通知をアプリケーションサーバーから受け取るように構成されたネットワークインターフェイスと；
を備えたスマートホン。
【０１４５】
節７１−プロセッサを更に備え、
コンピュータ読み取り可能なデータ記憶装置は、前記確認フォームが表示される間に第１アイコンを不作動化するためにプロセッサにより実行可能なコンピュータ読み取り可能なプログラムインストラクションを記憶し、及び
第１アイコンは、第１のユーザ検証を遂行するための第１の画像を記録するのに応答して不作動化される、節７０に記載のスマートホン。
【０１４６】
節７２−確認フォームは、更に、少なくとも１つの付加的なタイプのユーザ識別子を識別する少なくとも１つの付加的なアイコンを含み、
各付加的なアイコンは、各付加的なタイプのユーザ識別子を識別し、
ユーザインターフェイスは、第２タイプのユーザ識別子を識別する第２アイコンを確認フォームから選択するように構成され、
コンピュータ読み取り可能なデータ記憶装置は、第１のユーザ検証を遂行するための第２の画像を記録し、及び
ネットワークインターフェイスは、第１のユーザ検証を遂行するための第２の画像をアプリケーションサーバーへ伝送するように構成された、節７０又は７１に記載のスマートホン。
【０１４７】
節７３−プロセッサを更に備え、
コンピュータ読み取り可能なデータ記憶装置は、確認フォームが表示される間に第２アイコンを不作動化するためにプロセッサにより実行可能なコンピュータ読み取り可能なプログラムインストラクションを記憶し、及び
第２アイコンは、第１のユーザ検証を遂行するための第２の画像を記録するのに応答して不作動化される、節７２に記載のスマートホン。
【０１４８】
節７４−ユーザインターフェイスは、第３タイプのユーザ識別子を識別する第３アイコンを確認フォームから選択するように構成され、
プロセッサは、第１のユーザ検証を遂行するための第３の画像をデータ記憶装置に記録するプログラムインストラクションを実行し、及び
ネットワークインターフェイスは、第１のユーザ検証を遂行するための第３の画像をアプリケーションサーバーへ伝送するように構成された、節７２に記載のスマートホン。
【０１４９】
節７５−プログラムインストラクションは、確認フォームが表示される間に第３アイコンを不作動化するようにプロセッサにより実行可能であり、及び
その第３アイコンは、第１のユーザ検証を遂行するための第３の画像を記録するのに応答して不作動化される、節７４に記載のスマートホン。
【０１５０】
節７６−第１タイプのユーザ識別子は、クレジットカードの前面、クレジットカードの裏面、デビットカードの前面、デビットカードの裏面、運転免許証の前面、運転免許証の裏面、パスポート、請求書、移動電話の請求書、公益事業の請求書、取引明細書、クレジットカードの取引明細書、及び銀行の預金残高証明書より成るグループから選択される、節７０から７５のいずれかに記載のスマートホン。
【０１５１】
節７７−プロセッサと、
データ記憶装置内にユーザプロフィールを生成するためにプロセッサにより実行可能なコンピュータ読み取り可能なプログラムインストラクションを記憶するコンピュータ読み取り可能なデータ記憶装置と、
を備えた節７０から７６のいずれかに記載のスマートホン。
【０１５２】
節７８−ユーザプロフィールは、支払手段データを含み、及び
第１のユーザ検証は、その支払手段データを検証するために遂行される、節７７に記載のスマートホン。
【０１５３】
節７９−ディスプレイ装置は、ユーザ検証をスタートするために選択可能なアイコンを表示するように構成され、
ユーザインターフェイスは、ユーザ検証に関連したその選択可能なアイコンを選択するように構成され、及び
ユーザ検証に関連したその選択可能なアイコンを選択することで、確認フォームの表示がトリガーされる、節７０から７８のいずれかに記載のスマートホン。
【０１５４】
節８０−ユーザ検証をスタートするために選択可能な表示されたアイコンは、検証アイコンを含む、節７９に記載のスマートホン。
【０１５５】
節８１−ネットワークインターフェイスは、第１のユーザ検証のためにアプリケーションサーバーへ伝送された画像をアプリケーションサーバーが首尾良くアップロードしたことを指示する第２の通知を受け取るように構成された、節８０に記載のスマートホン。
【０１５６】
節８２−ネットワークインターフェイスは、第１のユーザ検証のためにアプリケーションサーバーへ伝送された画像の検証をアプリケーションサーバーが待機していることを指示する第３の通知を受け取るように構成された、節８１に記載のスマートホン。
【０１５７】
節８３−ネットワークインターフェイスは、第１のユーザ検証が首尾良く完了したことを指示する第４の通知を受け取るように構成された、節８２に記載のスマートホン。
【０１５８】
節８４−ディスプレイ装置は、その第４の通知を表示するように構成された、節８３に記載のスマートホン。
【０１５９】
節８５−移動加入者サービス総合デジタル網番号（ＭＳＩＳＤＮ）を入力するための自由フォームエントリフィールドをスマートホンのディスプレイ装置に表示し；
スマートホンを使用して、ＭＳＩＳＤＮを自由フォームエントリフィールドに入力し；
ＭＳＩＳＤＮをスマートホンからアプリケーションサーバーへ伝送し；
アプリケーションサーバーにより与えられるパーソナル識別番号（ＰＩＮ）を含むショートメッセージサービス（ＳＭＳ）メッセージをスマートホンにおいて受け取り；
ＰＩＮをスマートホンからアプリケーションサーバーへ伝送し；及び
アプリケーションサーバーがＭＳＩＳＤＮに関連したユーザアカウントを首尾良く生成したことを指示する第１の通知をアプリケーションサーバーからスマートホンにおいて受け取る；
ことを含む方法。
【０１６０】
節８６−スマートホンにおいてユーザプロフィールを生成し、
ユーザプロフィール情報を入力するための少なくとも１つの付加的なフィールドをスマートホンのディスプレイ装置に表示し、
スマートホンを使用して、ユーザプロフィール情報を少なくとも１つの付加的なフィールドに入力し、及び
スマートホンを使用してユーザプロフィールに入力されたユーザプロフィール情報を記憶する、
ことを更に含む、節８５に記載の方法。
【０１６１】
節８７−ユーザプロフィール情報は、ユーザの名、ユーザの姓、ユーザの生年月日、ｅ−メールアドレス、実在の住所、口座通貨、及び支払手段情報のうちの少なくとも１つを含む、節８６に記載の方法。
【０１６２】
節８８−アプリケーションサーバーに記憶するためにスマートホンを使用して入力されたユーザプロフィール情報をスマートホンからアプリケーションサーバーへ伝送することを更に含む、節８６に記載の方法。
【０１６３】
節８９−スマートホンをアプリケーションサーバーに登録するプロセスを開始するために選択可能なアイコンをスマートホンのディスプレイ装置に表示し、
スマートホンを使用してそのアイコンを選択し、そしてスマートホンをアプリケーションサーバーに登録するプロセスを開始する、
ことを更に含む、節８５から８８のいずれかに記載の方法。
【０１６４】
節９０−アイコンを表示することは、登録アイコンを表示することを含む、節８９に記載の方法。
【０１６５】
節９１−第１の通知を受け取った後に、スマートホンのディスプレイ装置に、ＭＳＩＳＤＮを入力するための自由フォームエントリフィールドの別のインスタンスを表示し、
スマートホンを使用して、ＭＳＩＳＤＮを自由フォームエントリフィールドの他のインスタンスへ入力し、
自由フォームエントリフィールドの他のインスタンスへ入力されたＭＳＩＳＤＮをスマートホンからアプリケーションサーバーへ伝送し、及び
ＭＳＩＳＤＮに関連したアカウントがアプリケーションサーバーに既に存在することを指示する第２の通知をアプリケーションサーバーからスマートホンにおいて受け取る、
ことを更に含む、節８５から９０のいずれかに記載の方法。
【０１６６】
節９２−第２の通知をディスプレイ装置に表示することを更に含む、節９１に記載の方法。
【０１６７】
節９３−ＰＩＮを含むＳＭＳメッセージを受け取った後であって、ＰＩＮをスマートホンからアプリケーションサーバーへ送信する前に、誤ったＰＩＮをアプリケーションサーバーへ伝送し、及び
誤ったＰＩＮがアプリケーションサーバーによって確認されなかったことを指示する第３の通知をアプリケーションサーバーからスマートホンで受け取る、
ことを更に含む節８５から９２のいずれかに記載の方法。
【０１６８】
節９４−第３の通知をディスプレイ装置に表示することを更に含む、節９３に記載の方法。
【０１６９】
節９５−第１の通知をディスプレイ装置に表示することを更に含む、節８５から９４のいずれかに記載の方法。
【０１７０】
節９６−プロセッサと、
節８５から９５のいずれかに記載の方法を実施するためにプロセッサにより実行可能なプログラムインストラクションを含むコンピュータ読み取り可能なデータ記憶装置と、
を備えたスマートホン。
【０１７１】
節９７−節９５から１０５のいずれかに記載の方法を実施するためにプロセッサにより実行可能なコンピュータ読み取り可能なプログラムインストラクションを含むコンピュータ読み取り可能なデータ記憶装置。
【０１７２】
節９８−コンピュータ読み取り可能なデータ記憶装置は、非一時的なコンピュータ読み取り可能なデータ記憶装置である、節９７に記載のコンピュータ読み取り可能なデータ記憶装置。
【０１７３】
節９９−搬送波で実施されるコンピュータデータ信号において、節８５から９５のいずれかに記載の方法を遂行するためのコンピュータ読み取り可能なプログラムインストラクションを含むコンピュータデータ信号。
【０１７４】
節１００−節８５から９５のいずれかに記載の方法を遂行するためのコンピュータ読み取り可能なプログラムインストラクションを搬送する再現可能なコンピュータ読み取り可能な信号。
【０１７５】
節１０１−ユーザ検証を遂行するためのコンピュータソフトウェア製品において、データ処理システムのプロセッサにより実行されたときに、そのデータ処理システムが節８５から９５のいずれかに記載の機能を実行するようにさせるインストラクションを含むソフトウェア製品。
【０１７６】
節１０２−プロセッサと；
移動加入者サービス総合デジタル網番号（ＭＳＩＳＤＮ）を入力するための自由フォームエントリフィールドを表示し、且つＭＳＩＳＤＮを自由フォームエントリフィールドに入力するように構成されたユーザインターフェイスと；
（ｉ）ユーザインターフェイスを使用して入力されたＭＳＩＳＤＮをアプリケーションサーバーへ送信し、（ii）アプリケーションサーバーにより与えられたパーソナル識別番号（ＰＩＮ）を含むショートメッセージサービス（ＳＭＳ）メッセージを受け取り、（iii）そのＰＩＮをアプリケーションサーバーへ伝送し、及び（iv）アプリケーションサーバーがＭＳＩＳＤＮに関連したユーザアカウントを首尾良く生成したことを指示する第１の通知をアプリケーションサーバーから受け取るように構成されたネットワークインターフェイスと；
を備えたスマートホン。
【０１７７】
節１０３−ユーザアプリケーションを実行するプロセッサにより生成されたユーザプロフィールを記憶するデータ記憶装置を更に備え、
そのデータ記憶装置は、ユーザアプリケーションを記憶し、
ユーザインターフェイスは、ユーザプロフィール情報を入力するための少なくとも１つの付加的なフィールドを表示するように構成され、
ユーザインターフェイスは、ユーザプロフィール情報を少なくとも１つの付加的なフィールドに入力するように構成され、及び
データ記憶装置は、ユーザインターフェイスを使用してユーザプロフィールに入力されたユーザプロフィール情報を記憶する、節１０２に記載のスマートホン。
【０１７８】
節１０４−データ記憶装置は、非一時的なコンピュータ読み取り可能なデータ記憶装置を含む、節１０３に記載のスマートホン。
【０１７９】
節１０５−ネットワークインターフェイスは、ユーザプロフィール情報を、アプリケーションサーバーに記憶するためにアプリケーションサーバーへ伝送するように構成された、節１０３に記載のスマートホン。
【０１８０】
節１０６−ユーザプロフィール情報は、ユーザの名、ユーザの姓、ユーザの生年月日、ｅ−メールアドレス、実在の住所、口座通貨、及び支払手段情報のうちの少なくとも１つを含む、節１０３に記載のスマートホン。
【０１８１】
節１０７−登録アイコン、預金アイコン、送金アイコン、バンキングアイコン、捕獲アイコン及び検証アイコンのうちの少なくとも１つをユーザインターフェイスに表示させるためにプロセッサにより実行可能なコンピュータ読み取り可能なプログラムインストラクションを更に備えた、節１０２から１０６のいずれか１つに記載のスマートホン。
【０１８２】
節１０８−ユーザインターフェイスは、第１の通知を受け取った後に、ＭＳＩＳＤＮを入力するための自由フォームエントリフィールドの別のインスタンスを表示し、そして自由フォームエントリフィールドのその別のインスタンスへＭＳＩＳＤＮを入力するように構成され、
ネットワークインターフェイスは、自由フォームエントリフィールドのその別のインスタンスへ入力されたＭＳＩＳＤＮをアプリケーションサーバーへ伝送するように構成され、及び
ＭＳＩＳＤＮに関連したアカウントがアプリケーションサーバーに既に存在することを指示する第２の通知をアプリケーションサーバーから受け取るように構成された、節１０２から１０８のいずれかに記載のスマートホン。
【０１８３】
節１０９−ユーザインターフェイスは、第２の通知を表示する、節１０８に記載のスマートホン。
【０１８４】
節１１０−ＰＩＮを含むＳＭＳメッセージを受け取った後であって、ＰＩＮをアプリケーションサーバーへ送信する前に、誤ったＰＩＮをアプリケーションサーバーへ伝送し、及び
その誤ったＰＩＮが前記アプリケーションサーバーにより有効とされなかったことを指示する第３の通知をアプリケーションサーバーから受け取るように構成された、節１０２から１０９のいずれか１つに記載のスマートホン。
【０１８５】
節１１１−ユーザインターフェイスは、第３の通知を表示する、節１１０に記載のスマートホン。
【０１８６】
節１１２−ユーザインターフェイスは、第１の通知を表示する、節１０２から１１１のいずれかに記載のスマートホン。
【０１８７】
節１１３−第１の送金額と、第１の通貨送金に対して第１の受取人を識別する第１の受取人アイデンティティとを入力するための送金フォームを第１スマートホンのディスプレイ装置に表示し；
その送金フォームを使用して、第１の送金額及び第１の受取人アイデンティティを入力し；
その送金フォームを使用して入力された第１の送金額及び第１の受取人アイデンティティを第１スマートホンからアプリケーションサーバーへ伝送し；及び
第１の受取人への第１の通貨送金が首尾良く完了したことを指示する第１の通知をアプリケーションサーバーから第１スマートホンにおいて受け取る；
ことを含む方法。
【０１８８】
節１１４−送金フォームを使用して、第１通貨送金のための送金通貨を選択することを更に含み、その第１通貨送金は、送金通貨の送金額のためのものである、節１１３に記載の方法。
【０１８９】
節１１５−第１スマートホンは、第１スマートホンを使用して開始される通貨送金のためのデフォールト通貨を識別する通貨識別子を含み、
前記方法は、更に、デフォールト通貨識別子を第１スマートホンからアプリケーションサーバーへ転送することを含み、
第１通貨送金は、デフォールト通貨の送金額のためのものである、節１１３又は１１４に記載の方法。
【０１９０】
節１１６−ディスプレイ装置に送金フォームを表示させるために選択可能なアイコンを第１スマートホンのディスプレイ装置に表示し、
その選択可能なアイコンを選択し、
送金フォームを表示することは、その選択可能なアイコンを選択するのに応答して行われる、節１１３から１１５のいずれかに記載の方法。
【０１９１】
節１１７−第２の通貨送金に対して第２送金額と、第２の受取人を識別する第２受取人アイデンティティとを入力するための送金フォームの第２インスタンスを第１スマートホンのディスプレイ装置に表示し、
送金フォームの第２インスタンスを使用して第２送金額及び第２受取人アイデンティティを入力し、
送金フォームの第２インスタンスを使用して入力された第２送金額及び第２受取人アイデンティティを第１スマートホンからアプリケーションサーバーへ伝送し、及び
第２受取人への第２通貨送金が首尾良く完了しなかったことを指示する第２の通知をアプリケーションサーバーから第１スマートホンで受け取る、
ことを更に含む、節１１３から１１６のいずれか１つに記載の方法。
【０１９２】
節１１８−第２受取人アイデンティティは、第２スマートホンを独特に識別するデータを含む、節１１７に記載の方法。
【０１９３】
節１１９−第２スマートホンを独特に識別するデータは、移動加入者サービス総合デジタル網番号（ＭＳＩＳＤＮ）、又は国際移動装置アイデンティティ（ＩＭＥＩ）を含む、節１１８に記載の方法。
【０１９４】
節１２０−第２受取人アイデンティティは、国際移動加入者アイデンティティ（ＩＭＳＩ）を含む、節１１７に記載の方法。
【０１９５】
節１２１−第３の通貨送金に対して第３送金額と、第３の受取人を識別する第３受取人アイデンティティとを入力するための送金フォームの第３インスタンスを前記第１スマートホンのディスプレイ装置に表示し、
送金フォームの第３インスタンスを使用して第３送金額及び第３受取人アイデンティティを入力し、
送金フォームの第３インスタンスを使用して入力された第３送金額及び第３受取人アイデンティティを第１スマートホンからアプリケーションサーバーへ伝送し、及び
第３受取人が第３通貨送金を受け取るように登録されていないことを指示する第３の通知をアプリケーションサーバーから第１スマートホンで受け取る、
ことを更に含む、節１１３から１２０のいずれかに記載の方法。
【０１９６】
節１２２−第３受取人アイデンティティは、第３スマートホンを独特に識別するデータを含む、節１２１に記載の方法。
【０１９７】
節１２３−第３スマートホンを独特に識別するデータは、移動加入者サービス総合デジタル網番号（ＭＳＩＳＤＮ）、又は国際移動装置アイデンティティ（ＩＭＥＩ）を含む、節１２２に記載の方法。
【０１９８】
節１２４−第３受取人アイデンティティは、国際移動加入者アイデンティティ（ＩＭＳＩ）を含む、節１２１に記載の方法。
【０１９９】
節１２５−第１受取人アイデンティティは、第２スマートホンを独特に識別するデータを含む、節１１３から１２４のいずれかに記載の方法。
【０２００】
節１２６−第２スマートホンを独特に識別するデータは、移動加入者サービス総合デジタル網番号（ＭＳＩＳＤＮ）、又は国際移動装置アイデンティティ（ＩＭＥＩ）を含む、節１１９に記載の方法。
【０２０１】
節１２７−第１受取人アイデンティティは、国際移動加入者アイデンティティ（ＩＭＳＩ）を含む、節１１３から１２６のいずれかに記載の方法。
【０２０２】
節１２８−第１受取人アイデンティティを入力することは、第１受取人アイデンティティに関連したアイデンティティショートカットを入力することを含み、
前記方法は、更に、アイデンティティショートカットを入力するのに応答して第１受取人アイデンティティをスマートホンのデータ記憶装置から検索することを含み、
第１受取人アイデンティティを転送することは、データ記憶装置から検索された第１受取人アイデンティティを転送することを含む、節１１３から１２７のいずれかに記載の方法。
【０２０３】
節１２９−プロセッサと、
節１１３から１２８のいずれかに記載の方法を実施するためプロセッサにより実行可能なプログラムインストラクションを含むコンピュータ読み取り可能なデータ記憶装置と、
を備えたスマートホン。
【０２０４】
節１３０−節１１３から１２８のいずれかに記載の方法を実施するためにプロセッサにより実行可能なコンピュータ読み取り可能なプログラムインストラクションを含むコンピュータ読み取り可能なデータ記憶装置。
【０２０５】
節１３１−前記コンピュータ読み取り可能なデータ記憶装置は、非一時的なコンピュータ読み取り可能なデータ記憶装置である、節１３０に記載のコンピュータ読み取り可能なデータ記憶装置。
【０２０６】
節１３２−搬送波で実施されるコンピュータデータ信号において、節１１３から１２８のいずれかに記載の方法を遂行するためのコンピュータ読み取り可能なプログラムインストラクションを含むコンピュータデータ信号。
【０２０７】
節１３３−節１１３から１２８のいずれかに記載の方法を遂行するためのコンピュータ読み取り可能なプログラムインストラクションを搬送する再現可能なコンピュータ読み取り可能な信号。
【０２０８】
節１３４−通貨を送金するためのコンピュータソフトウェア製品において、データ処理システムのプロセッサにより実行されたときに、そのデータ処理システムが節１１３から１２８のいずれかに記載の機能を実行するようにさせるインストラクションを含むソフトウェア製品。
【０２０９】
節１３５−第１の送金額と、第１の通貨送金に対して第１の受取人を識別する第１の受取人アイデンティティとを入力するための送金フォームを表示するように構成されたディスプレイ装置と；
その送金フォームを使用して、第１の送金額及び第１の受取人アイデンティティを入力するためのユーザインターフェイスと；
その送金フォームを使用して入力された第１の送金額及び第１の受取人アイデンティティをアプリケーションサーバーへ伝送し、且つ第１の受取人への第１の通貨送金が首尾良く完了したことを指示する第１の通知をアプリケーションサーバーから受け取るためのネットワークインターフェイスと；
を備えたスマートホン。
【０２１０】
節１３６−ユーザインターフェイスは、送金フォームを使用して、第１の通貨送金のための送金通貨を選択するように構成され、
第１の通貨送金は、送金通貨の送金額に対するものである、節１３５に記載のスマートホン。
【０２１１】
節１３７−スマートホンを使用して開始される通貨送金のためのデフォールト通貨を識別する通貨識別子を記憶するデータ記憶装置を更に備え、
ネットワークインターフェイスは、そのデフォールト通貨識別子をアプリケーションサーバーへ転送するように構成され、
第１通貨送金は、そのデフォールト通貨の送金額に対するものである、節１３５又は１３６に記載のスマートホン。
【０２１２】
節１３８−ディスプレイ装置は、そのディスプレイ装置に送金フォームを表示させるために選択可能なアイコンを表示するように構成され、
ユーザインターフェイスは、その選択可能なアイコンを選択するように構成され、
ディスプレイ装置は、その選択可能なアイコンを選択するのに応答して送金フォームを表示するように構成される、節１３５から１３７のいずれかに記載のスマートホン。
【０２１３】
節１３９−ディスプレイ装置は、第２の通貨送金に対して第２送金額と、第２の受取人を識別する第２受取人アイデンティティとを入力するための送金フォームの第２インスタンスを表示するように構成され、
ユーザインターフェイスは、その送金フォームの第２インスタンスを使用して第２送金額及び第２受取人アイデンティティを入力するように構成され、
ネットワークインターフェイスは、その送金フォームの第２インスタンスを使用して入力された第２送金額及び第２受取人アイデンティティをアプリケーションサーバーへ伝送し、及び第２受取人への第２通貨送金が首尾良く完了しなかったことを指示する第２の通知をアプリケーションサーバーから受け取るように構成された、節１３５から１３８のいずれかに記載のスマートホン。
【０２１４】
節１４０−第２受取人アイデンティティは、第２スマートホンを独特に識別するデータを含む、節１３９に記載のスマートホン。
【０２１５】
節１４１−第２スマートホンを独特に識別するデータは、移動加入者サービス総合デジタル網番号（ＭＳＩＳＤＮ）、又は国際移動装置アイデンティティ（ＩＭＥＩ）を含む、節１４０に記載のスマートホン。
【０２１６】
節１４２−第２受取人アイデンティティは、国際移動加入者アイデンティティ（ＩＭＳＩ）を含む、節１３９に記載のスマートホン。
【０２１７】
節１４３−ディスプレイ装置は、第３の通貨送金に対して第３送金額と、第３の受取人を識別する第３受取人アイデンティティとを入力するための送金フォームの第３インスタンスを表示するように構成され、
ユーザインターフェイスは、その送金フォームの第３インスタンスを使用して第３送金額及び第３受取人アイデンティティを入力するように構成され、
ネットワークインターフェイスは、その送金フォームの第３インスタンスを使用して入力された第３送金額及び第３受取人アイデンティティをアプリケーションサーバーへ伝送し、及び第３受取人が第３通貨送金を受け取るように登録されていないことを指示する第３の通知をアプリケーションサーバーから受け取るように構成された、節１３５から１４２のいずれかに記載のスマートホン。
【０２１８】
節１４４−第３受取人アイデンティティは、第３スマートホンを独特に識別するデータを含む、節１４３に記載のスマートホン。
【０２１９】
節１４５−第３スマートホンを独特に識別するデータは、移動加入者サービス総合デジタル網番号（ＭＳＩＳＤＮ）、又は国際移動装置アイデンティティ（ＩＭＥＩ）を含む、節１４４に記載のスマートホン。
【０２２０】
節１４６−第３受取人アイデンティティは、国際移動加入者アイデンティティ（ＩＭＳＩ）を含む、節１４３に記載のスマートホン。
【０２２１】
節１４７−第１受取人アイデンティティは、第２スマートホンを独特に識別するデータを含む、節１３５に記載のスマートホン。
【０２２２】
節１４８−第２スマートホンを独特に識別するデータは、移動加入者サービス総合デジタル網番号（ＭＳＩＳＤＮ）、又は国際移動装置アイデンティティ（ＩＭＥＩ）を含む、節１４７に記載のスマートホン。
【０２２３】
節１４９−第１受取人アイデンティティは、国際移動加入者アイデンティティ（ＩＭＳＩ）を含む、節１３５から１４８のいずれかに記載のスマートホン。
【０２２４】
節１５０−プロセッサと、
プロセッサにより実行可能なコンピュータ読み取り可能なプログラムインストラクションを記憶するデータ記憶装置と、
を備え、第１受取人アイデンティティを入力することは、第１受取人アイデンティティに関連したアイデンティティショートカットを入力することを含み、
プログラムインストラクションは、アイデンティティショートカットを入力するのに応答して第１受取人アイデンティティをデータ記憶装置から検索するためにプロセッサにより実行可能であり、
第１受取人アイデンティティを転送することは、データ記憶装置から検索された第１受取人アイデンティティを転送することを含む、節１３５から１４９のいずれかに記載のスマートホン。
【０２２５】
節１５１−第１の送金額と、第１の通貨送金に対して第１の受取人を識別する第１の受取人アイデンティティとをアプリケーションサーバーにおいて受け取り；
アプリケーションサーバーを使用して、第１の受取人が受取人の財布で第１の通貨送金を受け取るように登録されていることを確認し；
アプリケーションサーバーを使用して、送金人の財布が第１の通貨送金を実施するに充分な資金を有することを確認し；
アプリケーションサーバーを使用して、送金人の財布から少なくとも第１の送金額を引き落とし；及び
アプリケーションサーバーを使用して、受取人の財布に第１の送金額を入金する；
ことを含む方法。
【０２２６】
節１５２−第１の通貨送金を経て送金されるべき通貨を識別する通貨識別子をアプリケーションサーバーで受け取ることを更に含む、節１５１に記載の方法。
【０２２７】
節１５３−送金人の財布を識別する送金人識別子をアプリケーションサーバーで受け取ることを更に含む、節１５１又は１５２に記載の方法。
【０２２８】
節１５４−送金人の財布を識別するためにアプリケーションサーバーが使用できる送金人識別子データをアプリケーションサーバーで受け取り、及び
アプリケーションサーバーにおいて送金人識別子データを使用して送金人の財布を識別する、
ことを更に含む、節１５１から１５３のいずれかに記載の方法。
【０２２９】
節１５５−第２の通貨送金に対して第２送金額と、第２の受取人を識別する第２受取人アイデンティティとをアプリケーションサーバーで受け取り、
アプリケーションサーバーを使用して、送金人の財布が第２の通貨送金を実行するには資金が不充分であることを決定し、及び
第２の通貨送金が不成功であったことを指示するデータを含む第１の通知をアプリケーションサーバーから伝送する、
ことを更に含む、節１５１から１５４のいずれかに記載の方法。
【０２３０】
節１５６−第１の通知は、なぜ第２の通貨送金が不成功であったかの理由を示すデータを含む、節１５５に記載の方法。
【０２３１】
節１５７−第１の受取人及び第２の受取人は、同じ受取人である、節１５５に記載の方法。
【０２３２】
節１５８−アプリケーションサーバーを使用して、第２の受取人が第２の通貨送金を受取人の財布で受け取るように登録されていることを確認することを更に含む、節１５５に記載の方法。
【０２３３】
節１５９−第２の受取人のアイデンティティは、第２のスマートホンを独特に識別するデータを含む、節１５５に記載の方法。
【０２３４】
節１６０−第２のスマートホンを独特に識別するデータは、移動加入者サービス総合デジタル網番号（ＭＳＩＳＤＮ）、又は国際移動装置アイデンティティ（ＩＭＥＩ）を含む、節１５９に記載の方法。
【０２３５】
節１６１−第２受取人アイデンティティは、国際移動加入者アイデンティティ（ＩＭＳＩ）を含む、節１５５に記載の方法。
【０２３６】
節１６２−第３の通貨送金に対して第３送金額と、第３の受取人を識別する第３受取人アイデンティティとをアプリケーションサーバーで受け取り、
アプリケーションサーバーを使用して、第３の受取人が第３の通貨送金を受取人の財布で受け取るように登録されていないことを決定し、及び
第３の通貨送金が不成功であったことを指示するデータを含む第２の通知をアプリケーションサーバーから伝送する、
ことを更に含む、節１５５に記載の方法。
【０２３７】
節１６３−第２の通知は、なぜ第３の通貨送金が不成功であったかの理由を示すデータを含む、節１６２に記載の方法。
【０２３８】
節１６４−第２受取人アイデンティティは、第２スマートホンを独特に識別するデータを含む、節１６２に記載の方法。
【０２３９】
節１６５−第２スマートホンを独特に識別するデータは、移動加入者サービス総合デジタル網番号（ＭＳＩＳＤＮ）、又は国際移動装置アイデンティティ（ＩＭＥＩ）を含む、節１６４に記載の方法。
【０２４０】
節１６６−第２受取人アイデンティティは、国際移動加入者アイデンティティ（ＩＭＳＩ）を含む、節１６２に記載の方法。
【０２４１】
節１６７−第１受取人アイデンティティは、第１スマートホンを独特に識別するデータを含む、節１５１から１６６のいずれかに記載の方法。
【０２４２】
節１６８−第１スマートホンを独特に識別するデータは、移動加入者サービス総合デジタル網番号（ＭＳＩＳＤＮ）、又は国際移動装置アイデンティティ（ＩＭＥＩ）を含む、節１６６に記載の方法。
【０２４３】
節１６９−第１受取人アイデンティティは、国際移動加入者アイデンティティ（ＩＭＳＩ）を含む、節１５１から１６８のいずれかに記載の方法。
【０２４４】
節１７０−プロセッサと、
節１５１から１６９のいずれかに記載の方法を実施するためプロセッサにより実行可能なプログラムインストラクションを含むコンピュータ読み取り可能なデータ記憶装置と、
を備えたアプリケーションサーバー。
【０２４５】
節１７１−節１５１から１６９のいずれかに記載の方法を実施するためにプロセッサにより実行可能なコンピュータ読み取り可能なプログラムインストラクションを含むコンピュータ読み取り可能なデータ記憶装置。
【０２４６】
節１７２−前記コンピュータ読み取り可能なデータ記憶装置は、非一時的なコンピュータ読み取り可能なデータ記憶装置である、節１７１に記載のコンピュータ読み取り可能なデータ記憶装置。
【０２４７】
節１７３−搬送波で実施されるコンピュータデータ信号において、節１５１から１６９のいずれかに記載の方法を遂行するためのコンピュータ読み取り可能なプログラムインストラクションを含むコンピュータデータ信号。
【０２４８】
節１７４−節１５１から１６９のいずれかに記載の方法を遂行するためのコンピュータ読み取り可能なプログラムインストラクションを搬送する再現可能なコンピュータ読み取り可能な信号。
【０２４９】
節１７５−通貨を送金するためのコンピュータソフトウェア製品において、データ処理システムのプロセッサにより実行されたときに、そのデータ処理システムが節１５１から１６９のいずれかに記載の機能を実行するようにさせるインストラクションを含むソフトウェア製品。
【０２５０】
節１７６−プロセッサと；
プロセッサにより実行可能なコンピュータ読み取り可能なプログラムインストラクションを記憶するコンピュータ読み取り可能なデータ記憶装置と；
第１通貨送金に対して第１送金額と、第１の受取人を識別する第１受取人アイデンティティとを受け取るように構成されたネットワークインターフェイスと；
を備え、プログラムインストラクションは、第１の受取人が受取人の財布で第１の通貨送金を受け取るように登録されていることを確認するためにプロセッサにより実行可能であり、
プログラムインストラクションは、送金人の財布が第１の通貨送金を実施するに充分な資金を有することを確認するためにプロセッサにより実行可能であり、
プログラムインストラクションは、送金者の財布から少なくとも第１の送金額を引き落とすためにプロセッサにより実行可能であり、更に、
プログラムインストラクションは、受取者の財布に第１の送金額を入金するためにプロセッサにより実行可能である、
ようにされたアプリケーションサーバー。
【０２５１】
節１７７−ネットワークインターフェイスは、第１の通貨送金を経て送金される通貨を識別する通貨識別子を受け取るように構成される、節１７６に記載のアプリケーションサーバー。
【０２５２】
節１７８−ネットワークインターフェイスは、送金者の財布を識別する送金者識別子を受け取るように構成される、節１７６又は１７７に記載のアプリケーションサーバー。
【０２５３】
節１７９−ネットワークインターフェイスは、アプリケーションサーバーが送金人の財布を識別するために使用できる送金人識別子データを受け取るように構成され、及び
プロセッサは、その送金人識別子データをアプリケーションサーバーにおいて使用して送金人の財布を識別する、節１７６から１７８のいずれかに記載のアプリケーションサーバー。
【０２５４】
節１８０−ネットワークインターフェイスは、第２の通貨送金に対して第２送金額と、第２の受取人を識別する第２受取人アイデンティティとを受け取るように構成され、
プログラムインストラクションは、送金人の財布が第２の通貨送金を実行するには資金が不充分であることを決定するためにプロセッサによって実行可能であり、及び
ネットワークインターフェイスは、第２の通貨送金が不成功であったことを指示するデータを含む第１の通知を伝送するように構成される、節１７６から１７９のいずれかに記載のアプリケーションサーバー。
【０２５５】
節１８１−第１の通知は、なぜ第２の通貨送金が不成功であったかの理由を示すデータを含む、節１８０に記載のアプリケーションサーバー。
【０２５６】
節１８２−第１の受取人及び第２の受取人は、同じ受取人である、節１８０に記載のアプリケーションサーバー。
【０２５７】
節１８３−プログラムインストラクションは、第２の受取人が第２の通貨送金を受取人の財布で受け取るように登録されていることを確認するためにプロセッサにより実行可能である、節１８０に記載のアプリケーションサーバー。
【０２５８】
節１８４−第２の受取人のアイデンティティは、第２のスマートホンを独特に識別するデータを含む、節１８０に記載のアプリケーションサーバー。
【０２５９】
節１８５−第２のスマートホンを独特に識別するデータは、移動加入者サービス総合デジタル網番号（ＭＳＩＳＤＮ）、又は国際移動装置アイデンティティ（ＩＭＥＩ）を含む、節１８４に記載のアプリケーションサーバー。
【０２６０】
節１８６−第２受取人アイデンティティは、国際移動加入者アイデンティティ（ＩＭＳＩ）を含む、節１８０に記載のアプリケーションサーバー。
【０２６１】
節１８７−ネットワークインターフェイスは、第３の通貨送金に対して第３送金額と、第３の受取人を識別する第３受取人アイデンティティとを受け取るように構成され、
プログラムインストラクションは、第３の受取人が第３の通貨送金を受取人の財布で受け取るように登録されていないことを決定するためにプロセッサにより実行可能であり、及び
ネットワークインターフェイスは、第３の通貨送金が不成功であったことを指示するデータを含む第２の通知を伝送するように構成された、節１８０に記載のアプリケーションサーバー。
【０２６２】
節１８８−第２の通知は、なぜ第３の通貨送金が不成功であったかの理由を示すデータを含む、節１８７に記載のアプリケーションサーバー。
【０２６３】
節１８９−第２受取人アイデンティティは、第２スマートホンを独特に識別するデータを含む、節１８７に記載のアプリケーションサーバー。
【０２６４】
節１９０−第２スマートホンを独特に識別するデータは、移動加入者サービス総合デジタル網番号（ＭＳＩＳＤＮ）、又は国際移動装置アイデンティティ（ＩＭＥＩ）を含む、節１８９に記載のアプリケーションサーバー。
【０２６５】
節１９１−第２受取人アイデンティティは、国際移動加入者アイデンティティ（ＩＭＳＩ）を含む、節１８７に記載のアプリケーションサーバー。
【０２６６】
節１９２−第１受取人アイデンティティは、第１スマートホンを独特に識別するデータを含む、節１７６から１９１のいずれかに記載のアプリケーションサーバー。
【０２６７】
節１９３−第１スマートホンを独特に識別するデータは、移動加入者サービス総合デジタル網番号（ＭＳＩＳＤＮ）、又は国際移動装置アイデンティティ（ＩＭＥＩ）を含む、節１９２に記載のアプリケーションサーバー。
【０２６８】
節１９４−第１受取人アイデンティティは、国際移動加入者アイデンティティ（ＩＭＳＩ）を含む、節１７６から１９３のいずれかに記載のアプリケーションサーバー。
【０２６９】
節１９５−支払金額を入力すると共に、ユーザの財布に入金するのに使用する第１支払手段を選択するための支払フォームをスマートホンのディスプレイ装置に表示し；
その支払フォームを使用して、支払金額を入力し、そしてユーザの財布に入金するのに使用する第１支払手段を選択し；
支払フォームを使用して入力された支払金額、及び支払フォームを使用して選択された第１支払手段の識別子をスマートホンからアプリケーションサーバーへ伝送し；及び
ユーザの財布への入金が首尾良く完了したことを指示する通知をアプリケーションサーバーからスマートホンで受け取る；
ことを含む方法。
【０２７０】
節１９６−承認された支払手段のリストの要求をスマートホンからアプリケーションサーバーへ伝送し；及び
その承認された支払手段のリストをアプリケーションサーバーからスマートホンで受け取る；
ことを更に含み、その承認された支払手段のリストは、第１支払手段に関するデータを含み、及び
支払フォームを表示することは、第１支払手段に関するデータを表示することを含む、節１９５に記載の方法。
【０２７１】
節１９７−前記承認された支払手段のリストは、少なくとも１つの他の承認された支払手段に関するデータを含み、及び
支払フォームを表示することは、少なくとも１つの他の承認された支払手段に関するデータを表示することを含む、節１９６に記載の方法。
【０２７２】
節１９８−ディスプレイ装置に支払フォームを表示させるために選択可能なアイコンをスマートホンのディスプレイ装置に表示し、及び
スマートホンを使用して、ディスプレイ装置に支払フォームを表示させるためのアイコンを選択する、
ことを更に含む、節１９５から１９７のいずれかに記載の方法。
【０２７３】
節１９９−アイコンは、預金アイコンである、節１９８に記載の方法。
【０２７４】
節２００−承認された支払手段のリストの要求を伝送した後であって、承認された支払手段のリストを受け取る前に、第１支払手段に関する支払手段情報をスマートホンからアプリケーションサーバーへ伝送し、そしてアプリケーションサーバーが第１支払手段を承認された支払手段として登録したことを指示する第２の通知を受け取ることを更に含む、節１９６に記載の方法。
【０２７５】
節２０１−承認された支払手段のリストの要求を伝送した後であって、承認された支払手段のリストを受け取る前に、支払手段をアプリケーションサーバーに登録させるためのプロンプトをディスプレイ装置に表示するためスマートホンをトリガーする第３の通知を受け取ることを更に含む、節２００に記載の方法。
【０２７６】
節２０２−第１支払手段は、クレジットカード又はデビットカードを含む、節１９５から２０１のいずれかに記載の方法。
【０２７７】
節２０３−スマートホンのデータ記憶装置内に記憶されたユーザプロフィールからのユーザ属性をスマートホンからアプリケーションサーバーへ伝送することを更に含む、節１９５から２０２のいずれかに記載の方法。
【０２７８】
節２０４−スマートホンの識別子をスマートホンからアプリケーションサーバーへ伝送することを更に含む、節１９５から２０３のいずれかに記載の方法。
【０２７９】
節２０５−プロセッサと、
節１９５から２０４のいずれかに記載の方法を実施するためプロセッサにより実行可能なプログラムインストラクションを含むコンピュータ読み取り可能なデータ記憶装置と、
を備えたスマートホン。
【０２８０】
節２０６−節１９５から２０４のいずれかに記載の方法を実施するためにプロセッサにより実行可能なコンピュータ読み取り可能なプログラムインストラクションを含むコンピュータ読み取り可能なデータ記憶装置。
【０２８１】
節２０７−前記コンピュータ読み取り可能なデータ記憶装置は、非一時的なコンピュータ読み取り可能なデータ記憶装置である、節２０６に記載のコンピュータ読み取り可能なデータ記憶装置。
【０２８２】
節２０８−搬送波で実施されるコンピュータデータ信号において、節１９５から２０４のいずれかに記載の方法を遂行するためのコンピュータ読み取り可能なプログラムインストラクションを含むコンピュータデータ信号。
【０２８３】
節２０９−節１９５から２０４のいずれかに記載の方法を遂行するためのコンピュータ読み取り可能なプログラムインストラクションを搬送する再現可能なコンピュータ読み取り可能な信号。
【０２８４】
節２１０−ユーザ検証を遂行するためのコンピュータソフトウェア製品において、データ処理システムのプロセッサにより実行されたときに、そのデータ処理システムが節１９５から２０４のいずれかに記載の機能を実行するようにさせるインストラクションを含むソフトウェア製品。
【０２８５】
節２１１−第１の事前資金供給額と、バーチャルクレジットカードに事前資金供給するための第１資金源を識別する第１資金源アイデンティティとを入力する事前資金供給フォームをスマートホンのディスプレイ装置に表示し；
事前資金供給フォームを使用して、第１の事前資金供給額及び第１資金源アイデンティティを入力し；
事前資金供給フォームを使用して入力された第１の事前資金供給額及び第１資金源アイデンティティをスマートホンからアプリケーションサーバーへ伝送し；及び
第１の事前資金供給額をバーチャルクレジットカードに事前資金供給することが首尾良く完了したことを指示する第１の通知をアプリケーションサーバーからスマートホンで受け取る；
ことを含む方法。
【０２８６】
節２１２−第１当事者の資金を蓄積する第１当事者財布及び第２当事者の資金を蓄積する第２当事者財布を有する金融サーバーを使用して、第１当事者装置をもつ第１当事者から第２当事者装置をもつ第２当事者へ資金を移動するためにデータ処理システムによって実施される方法において、第１当事者から第２当事者へ資金を移動する取引に対して独特の識別子を発生し；その独特の識別子を使用して、第１当事者は、金融サーバーが第１当事者に蓄積された資金を第２当事者へ移動するのを許可し；金融サーバーは、第１当事者から受け取った許可に基づいて第１当事者の財布から第２当事者の財布へ資金を移動し；及び金融サーバーは、取引が終了したことを第２当事者に通知する；ことを含む方法。
【０２８７】
節２１３−第１当事者は顧客であり、第２当事者は商人であり、そして金融取引は、顧客が商人からの請求書の支払をするものであり、前記方法は、第１当事者装置において行われる次のステップを含み、即ち、
請求書のエンコーディングをスキャンし；
請求書のエンコーディングをスキャンするのに応答して、請求書のエンコーディングを金融サーバーへ伝送し；
請求書の内訳を金融サーバーから受け取り、請求書の内訳は、少なくとも、購入の品目別リストを含み；
請求書の内訳を受け取るのに応答して、サービス料のリストからサービス料を選択するように促し；
サービス料のリストに列挙された選択されたサービス料を受け取り；及び
選択されたサービス料を受け取るのに応答して、その選択されたサービス料を請求書に追加し、そして第１当事者の財布から第２当事者の財布へ合計金額を送金する許可を金融サーバーへ伝送し、その合計金額は、購入の品目別リストに関連した料金及び選択されたサービス料を含むものである；節２１２に記載の方法。
【０２８８】
XII．結論
以上、規範的な実施形態を説明した。当業者であれば、請求の範囲に規定された本発明の精神及び範囲から逸脱せずに上述した実施形態に対して変更及び修正がなされ得ることが理解されよう。
【０２８９】
この詳細な説明は、ここに開示するシステム、装置及び方法の種々の特徴及び機能を、添付図面を参照して述べるものである。図面において、特に指示がない限り、典型的に、同様のコンポーネントは、同様の記号で識別される。詳細な説明、図面及び請求の範囲に述べる実施形態は、それに限定されるものではない。ここに述べる要旨の精神又は範囲から逸脱せずに、他の実施形態も使用でき、他の変更もなし得る。添付図面に示してここに一般的に述べる本開示の態様は、種々の異なる構成で配列、置き換え、合成、分離、及び設計することができ、それらは、全て、明確にここに意図される。
【０２９０】
図示して説明したメッセージフロー図、シナリオ、及びフローチャートのいずれか又は全部に対して、各ステップ、ブロック及び／又は通信は、規範的な実施形態による情報の処理及び／又は情報の送信を表わす。これら規範的実施形態の範囲内には別の実施形態も含まれる。これら別の実施形態では、例えば、ステップ、ブロック、送信、通信、要求、応答及び／又はメッセージとして述べる機能は、図示して説明したものとは異なる順序で実行することができ、これは、それに伴う機能に基づいて実質的に同時又は逆の順序も含む。更に、ここに述べるメッセージフロー図、シナリオ及びフローチャートと共に、より多くの又はより少ないステップ、ブロック、及び／又は機能を使用することができ、それらのメッセージフロー図、シナリオ及びフローチャートを部分的又は全体的に一部分結合することができる。
【０２９１】
情報の処理を表わすステップ又はブロックは、ここに述べる方法又は技術の特定の論理的機能を遂行するように構成できる回路に対応する。それとは別に又はそれに加えて、情報の処理を表わすステップ又はブロックは、モジュール、セグメント、又はプログラムコードの一部分（関連データを含む）に対応する。プログラムコードは、方法又は技術における特定の論理的機能又はアクションを実施するためにプロセッサにより実行可能な１つ以上のインストラクションを含む。プログラムコード及び／又は関連データは、ディスク又はハードドライブ又は他の記憶媒体を含む記憶装置のような任意の形式のコンピュータ読み取り可能な媒体に記憶することができる。
【０２９２】
コンピュータ読み取り可能な媒体は、レジスタメモリ、プロセッサキャッシュ、及び／又はランダムアクセスメモリ（ＲＡＭ）のような、データを短期間記憶するコンピュータ読み取り可能な媒体、等の非一時的コンピュータ読み取り可能な媒体を含む。コンピュータ読み取り可能な媒体は、プログラムコード及び／又はデータを長期間記憶する非一時的コンピュータ読み取り可能な媒体、例えば、リードオンリメモリ（ＲＯＭ）、光学又は磁気ディスク、及び／又はコンパクトディスクリードオンリメモリ（ＣＤ−ＲＯＭ）のような二次又は持続長期記憶装置を含む。コンピュータ読み取り可能な媒体は、他の揮発性又は不揮発性記憶システムでもよい。コンピュータ読み取り可能な媒体は、例えば、コンピュータ読み取り可能な記憶媒体、又は有形の記憶装置と考えられる。データ記憶装置内に記憶されるか又はデータ記憶装置内に記憶するために装置へ送信されると識別されるデータは、搬送波で実施されるコンピュータデータ信号を含む。
【０２９３】
更に、１つ以上の情報送信を表わすステップ又はブロックは、同じ物理的装置におけるソフトウェア及び／又はハードウェアモジュール間の情報伝達に対応する。しかしながら、異なる物理的装置におけるソフトウェアモジュール及び／又はハードウェアモジュール間の他の情報伝達も考えられる。
【０２９４】
種々の態様及び実施形態を開示したが、当業者であれば、他の態様及び実施形態も明らかであろう。ここに述べる種々の態様及び実施形態は、例示に過ぎず、それに限定されるものではない。
【符号の説明】
【０２９５】
１００：支払システム
１０２：アプリケーションサーバー
１０４、１１０：データベース
１０６：ユーザスマートホン装置
１０８：商人ターミナル
１１２：ユーザプロフィール
１１６：通信ネットワーク
１４０：商人ウェブサイトＩＤコード
１４２：商人プロフィール
１５０：プロセッサ
１５２：ネットワークインターフェイス
１５４：ユーザインターフェイス
１５８：データ記憶装置
１６２：ＣＲＰＩ
１６４：ｕｓｅｒ  ａｐｐ
１６６：プロセッサ
１６８：ネットワークインターフェイス
１７０：ユーザインターフェイス
１７２：データ記憶装置
１７６：ＣＲＰＩ
１７８：ｍｅｒｃｈａｎｔ  ａｐｐ
１８２：プロセッサ
１８４：ネットワークインターフェイス
１８６：ユーザインターフェイス
１８８：データ記憶装置
１９２：ＣＲＰＩ
１９４：ｕｓｅｒ  ａｐｐ
【図１】
2015504197.tif 000003
【図２】
2015504197.tif 000004
【図３】
2015504197.tif 000005
【図４】
2015504197.tif 000006
【図５】
2015504197.tif 000007
【図６】
2015504197.tif 000008
【図７】
2015504197.tif 000009
【図８】
2015504197.tif 000010
【図９】
2015504197.tif 000011
【図１０】
2015504197.tif 000012
【図１１】
2015504197.tif 000013
【図１２】
2015504197.tif 000014
【国際調査報告】
2015504197.tif 000015
2015504197.tif 000016
2015504197.tif 000017
2015504197.tif 000018
2015504197.tif 000019
2015504197.tif 000020
2015504197.tif 000021